(57)【要約】【課題】視野角特性の向上を図る。【解決手段】第１プリズムシート１８及び第２プリズムシート１９は、それぞれ第１方向に沿って複数ずつが並んで配されていて第２方向に沿って延在する第１単位プリズム１８Ｂ及び第２単位プリズム１９Ｂが、いずれも第１方向に並行する底辺１８Ｂ１，１９Ｂ１と、底辺１８Ｂ１，１９Ｂ１の両端から立ち上がる一対の斜辺１８Ｂ２，１８Ｂ３，１９Ｂ２，１９Ｂ３と、を有していて、第２単位プリズム１９Ｂにおいて第１方向についてＬＥＤ１３側の斜辺である第２ＬＥＤ側斜辺１９Ｂ２が底辺１９Ｂ１に対してなす角度が、第１単位プリズム１８Ｂにおいて第１方向についてＬＥＤ１３側の第１ＬＥＤ側斜辺１８Ｂ２が底辺１８Ｂ１に対してなす角度よりも小さくなるよう構成される。【選択図】図２
2020119678.tif 000002
【特許請求の範囲】
【請求項１】
光源と、
板状をなしていて外周端面の少なくとも一部が前記光源から発せられた光が入射される入光端面とされて一方の板面が光を出射させる出光板面とされる導光板と、
前記導光板に対して出光側に配される第１プリズムシートであって、前記光源から前記導光板へ向かう方向を含む第１方向に沿って複数が並んで配されていて前記第１方向と前記導光板の板厚方向との双方と直交する第２方向に沿って延在する第１単位プリズムを有する第１プリズムシートと、
前記第１プリズムシートに対して出光側に配される第２プリズムシートであって、前記第１方向に沿って複数が並んで配されていて前記第２方向に沿って延在する第２単位プリズムを有する第２プリズムシートと、を備え、
前記第１プリズムシート及び前記第２プリズムシートは、前記第１単位プリズム及び前記第２単位プリズムが、いずれも前記第１方向に並行する底辺と、前記底辺の両端から立ち上がる一対の斜辺と、を有していて、前記第２単位プリズムにおいて前記第１方向について前記光源側の前記斜辺が前記底辺に対してなす角度が、前記第１単位プリズムにおいて前記第１方向について前記光源側の前記斜辺が前記底辺に対してなす角度よりも小さくなるよう構成される照明装置。
【請求項２】
前記第２プリズムシートは、前記第２単位プリズムにおける一対の前記斜辺が前記底辺に対してなす角度が、同じになるよう構成される請求項１記載の照明装置。
【請求項３】
前記第２プリズムシートは、前記第２単位プリズムにおける一対の前記斜辺同士がなす角度が、８０度〜１００度の範囲となるよう構成される請求項２記載の照明装置。
【請求項４】
前記第１プリズムシートは、前記第１単位プリズムにおける前記光源とは反対側の前記斜辺が前記底辺に対してなす角度が、３５度〜５０度の範囲とされる請求項３記載の照明装置。
【請求項５】
前記第１プリズムシートは、前記第１単位プリズムにおける前記光源とは反対側の前記斜辺が前記底辺に対してなす角度が、４５度とされる請求項４記載の照明装置。
【請求項６】
前記第１プリズムシートは、前記第１単位プリズムにおける前記光源側の前記斜辺が前記底辺に対してなす角度が、５０度〜６０度の範囲とされる請求項５記載の照明装置。
【請求項７】
前記第１プリズムシートは、前記第１単位プリズムにおける前記光源側の前記斜辺が前記底辺に対してなす角度が、５５度とされる請求項６記載の照明装置。
【請求項８】
前記第２プリズムシートの出光側に配され、屈折率が互いに異なる層を交互に積層した多層膜を有する反射型偏光シートを備える請求項３から請求項７のいずれか１項に記載の照明装置。
【請求項９】
前記第１プリズムシートは、前記第１単位プリズムにおける屈折率が１．４９〜１．５２の範囲とされる請求項１から請求項８のいずれか１項に記載の照明装置。
【請求項１０】
前記第１プリズムシートは、出光側の板面に複数の前記第１単位プリズムが設けられるシート状の第１基材と、前記第１基材における前記出光側とは反対側の板面に設けられるレンズ部と、を有しており、
前記レンズ部は、前記第１方向に沿って延在していて前記第２方向に沿って並んで配される複数の単位レンズを有する請求項１から請求項９のいずれか１項に記載の照明装置。
【請求項１１】
前記第２プリズムシートは、出光側の板面に複数の前記第２単位プリズムが設けられていて非複屈折性を有するシート状の第２基材を有する請求項１から請求項１０のいずれか１項に記載の照明装置。
【請求項１２】
前記導光板は、前記出光板面とは反対側の板面である反対板面または前記出光板面に設けられる出光反射部を有しており、
前記出光反射部は、前記第１方向に沿って間隔を空けて並ぶ複数の単位反射部を有する請求項１から請求項１１のいずれか１項に記載の照明装置。
【請求項１３】
前記導光板における前記反対板面及び前記出光板面のうち、前記出光反射部が設置される板面には、前記第１方向について前記単位反射部に隣り合うよう配されていて前記光源から遠ざかるほど前記出光反射部が非設置とされる板面からの距離が大きくなる勾配の傾斜面が設けられており、
前記出光反射部は、前記単位反射部が前記第１方向について前記光源側に配されていて前記第１方向に対して傾斜する第１反射面とその反対側に配されていて前記第１方向に対して傾斜する第２反射面とを有しており、
前記導光板は、前記第１方向に対する傾斜角度が、前記傾斜面、前記第１反射面、前記第２反射面の順で大きくなるよう構成される請求項１２記載の照明装置。
【請求項１４】
前記導光板は、前記出光板面とは反対側の板面である反対板面と前記出光板面とのうちの少なくとも一方に設けられる導光板レンズ部を有しており、
前記導光板レンズ部は、前記第１方向に沿って延在していて前記第２方向に沿って並ぶ複数の導光板単位レンズを有する請求項１から請求項１３のいずれか１項に記載の照明装置。
【請求項１５】
請求項１から請求項１４のいずれか１項に記載の照明装置と、
前記照明装置からの光を利用して表示を行う表示パネルと、を備える表示装置。
【発明の詳細な説明】
【技術分野】
【０００１】
本発明は、照明装置及び表示装置に関する。
【背景技術】
【０００２】
従来、液晶表示装置などに用いられる照明装置の一例として下記特許文献１に記載されたものが知られている。特許文献１に記載された照明装置である面光源装置は、光源と、光源と対向する側面に入射した光源の光を側面に直交する上面から出射する導光板と、導光板の上方に配置され、平坦なシート底面、シート底面の反対側のプリズム形成面を備え、プリズム形成面にプリズム軸が互いに平行になるように隣接して配置された複数のプリズム列を有し、シート底面に入射した入射光をプリズム形成面から出射させる上向きプリズムシートと、上向きプリズムシートの上方に配置され、入射する光の偏光方向を制御する光学シートとを備える。
【先行技術文献】
【特許文献】
【０００３】
【特許文献１】特開２００９−２６６７９２号公報
【発明の概要】
【発明が解決しようとする課題】
【０００４】
上記した特許文献１に記載された面光源装置は、上向きプリズムシートを２枚積層した構成となっており、下側の上向きプリズムシートにおける前面底角が６６度とされ、上側の上向きプリズムシートにおける前面底角が８０度とされる。このような構成では、下側の上向きプリズムシートによって立ち上げられた光が、上側の上向きプリズムシートに入射すると、上側の上向きプリズムシートによってさらに正面方向に近くなるよう立ち上げられて出射されるので、極めて高い正面輝度が得られる。しかしながら、面光源装置から出射し、正面方向に対して傾いた方向へ向かう光が著しく少なくなる傾向にあるため、視野角特性に関しては芳しくないという問題があった。
【０００５】
本発明は上記のような事情に基づいて完成されたものであって、視野角特性の向上を図ることを目的とする。
【課題を解決するための手段】
【０００６】
（１）本発明の一実施形態は、光源と、板状をなしていて外周端面の少なくとも一部が前記光源から発せられた光が入射される入光端面とされて一方の板面が光を出射させる出光板面とされる導光板と、前記導光板に対して出光側に配される第１プリズムシートであって、前記光源から前記導光板へ向かう方向を含む第１方向に沿って複数が並んで配されていて前記第１方向と前記導光板の板厚方向との双方と直交する第２方向に沿って延在する第１単位プリズムを有する第１プリズムシートと、前記第１プリズムシートに対して出光側に配される第２プリズムシートであって、前記第１方向に沿って複数が並んで配されていて前記第２方向に沿って延在する第２単位プリズムを有する第２プリズムシートと、を備え、前記第１プリズムシート及び前記第２プリズムシートは、前記第１単位プリズム及び前記第２単位プリズムが、いずれも前記第１方向に並行する底辺と、前記底辺の両端から立ち上がる一対の斜辺と、を有していて、前記第２単位プリズムにおいて前記第１方向について前記光源側の前記斜辺が前記底辺に対してなす角度が、前記第１単位プリズムにおいて前記第１方向について前記光源側の前記斜辺が前記底辺に対してなす角度よりも小さくなるよう構成される照明装置である。
【０００７】
（２）また、本発明のある実施形態は、上記（１）の構成に加え、前記第２プリズムシートは、前記第２単位プリズムにおける一対の前記斜辺が前記底辺に対してなす角度が、同じになるよう構成される照明装置である。
【０００８】
（３）また、本発明のある実施形態は、上記（２）の構成に加え、前記第２プリズムシートは、前記第２単位プリズムにおける一対の前記斜辺同士がなす角度が、８０度〜１００度の範囲となるよう構成される照明装置である。
【０００９】
（４）また、本発明のある実施形態は、上記（３）の構成に加え、前記第１プリズムシートは、前記第１単位プリズムにおける前記光源とは反対側の前記斜辺が前記底辺に対してなす角度が、３５度〜５０度の範囲とされる照明装置である。
【００１０】
（５）また、本発明のある実施形態は、上記（４）の構成に加え、前記第１プリズムシートは、前記第１単位プリズムにおける前記光源とは反対側の前記斜辺が前記底辺に対してなす角度が、４５度とされる照明装置である。
【００１１】
（６）また、本発明のある実施形態は、上記（５）の構成に加え、前記第１プリズムシートは、前記第１単位プリズムにおける前記光源側の前記斜辺が前記底辺に対してなす角度が、５０度〜６０度の範囲とされる照明装置である。
【００１２】
（７）また、本発明のある実施形態は、上記（６）の構成に加え、前記第１プリズムシートは、前記第１単位プリズムにおける前記光源側の前記斜辺が前記底辺に対してなす角度が、５５度とされる照明装置である。
【００１３】
（８）また、本発明のある実施形態は、上記（３）から上記（７）のいずれか１つの構成に加え、前記第２プリズムシートの出光側に配され、屈折率が互いに異なる層を交互に積層した多層膜を有する反射型偏光シートを備える照明装置である。
【００１４】
（９）また、本発明のある実施形態は、上記（１）から上記（８）のいずれか１つの構成に加え、前記第１プリズムシートは、前記第１単位プリズムにおける屈折率が１．４９〜１．５２の範囲とされる照明装置である。
【００１５】
（１０）また、本発明のある実施形態は、上記（１）から上記（９）のいずれか１つの構成に加え、前記第１プリズムシートは、出光側の板面に複数の前記第１単位プリズムが設けられるシート状の第１基材と、前記第１基材における前記出光側とは反対側の板面に設けられるレンズ部と、を有しており、前記レンズ部は、前記第１方向に沿って延在していて前記第２方向に沿って並んで配される複数の単位レンズを有する照明装置である。
【００１６】
（１１）また、本発明のある実施形態は、上記（１）から上記（１０）のいずれか１つの構成に加え、前記第２プリズムシートは、出光側の板面に複数の前記第２単位プリズムが設けられていて非複屈折性を有するシート状の第２基材を有する照明装置である。
【００１７】
（１２）また、本発明のある実施形態は、上記（１）から上記（１１）のいずれか１つの構成に加え、前記導光板は、前記出光板面とは反対側の板面である反対板面または前記出光板面に設けられる出光反射部を有しており、前記出光反射部は、前記第１方向に沿って間隔を空けて並ぶ複数の単位反射部を有する照明装置である。
【００１８】
（１３）また、本発明のある実施形態は、上記（１２）の構成に加え、前記導光板における前記反対板面及び前記出光板面のうち、前記出光反射部が設置される板面には、前記第１方向について前記単位反射部に隣り合うよう配されていて前記光源から遠ざかるほど前記出光反射部が非設置とされる板面からの距離が大きくなる勾配の傾斜面が設けられており、前記出光反射部は、前記単位反射部が前記第１方向について前記光源側に配されていて前記第１方向に対して傾斜する第１反射面とその反対側に配されていて前記第１方向に対して傾斜する第２反射面とを有しており、前記導光板は、前記第１方向に対する傾斜角度が、前記傾斜面、前記第１反射面、前記第２反射面の順で大きくなるよう構成される照明装置である。
【００１９】
（１４）また、本発明のある実施形態は、上記（１）から上記（１３）のいずれか１つの構成に加え、前記導光板は、前記出光板面とは反対側の板面である反対板面と前記出光板面とのうちの少なくとも一方に設けられる導光板レンズ部を有しており、前記導光板レンズ部は、前記第１方向に沿って延在していて前記第２方向に沿って並ぶ複数の導光板単位レンズを有する照明装置である。
【００２０】
（１５）また、本発明の一実施形態は、上記（１）から上記（１４）のいずれか１つの照明装置と、前記照明装置からの光を利用して表示を行う表示パネルと、を備える表示装置である。
【発明の効果】
【００２１】
本発明によれば、視野角特性の向上を図ることができる。
【図面の簡単な説明】
【００２２】
【図１】本発明の実施形態１に係る液晶表示装置の分解斜視図
【図２】液晶表示装置を構成するバックライト装置をＹ軸方向に沿って切断した断面図
【図３】バックライト装置をＸ軸方向に沿って切断した断面図
【図４】バックライト装置を構成する導光板を反対板面側から視た斜視図
【図５】導光板の反対板面における構成を示す底面図
【図６】実証実験１における導光板の出射光のＹ軸方向についての輝度角度分布を示すグラフ
【図７】実証実験１における第１プリズムシートの出射光のＹ軸方向についての輝度角度分布を示すグラフ
【図８】実証実験１における第２プリズムシートの出射光のＹ軸方向についての輝度角度分布を示すグラフ
【図９】実証実験１における反射型偏光シートの出射光のＹ軸方向についての輝度角度分布を示すグラフ
【図１０】比較実験１における比較例１に係る出射光のＹ軸方向についての輝度角度分布を示すグラフ
【図１１】比較実験１における比較例２に係る出射光のＹ軸方向についての輝度角度分布を示すグラフ
【図１２】比較実験１における実施例１に係る出射光のＹ軸方向についての輝度角度分布を示すグラフ
【図１３】比較実験１の実験結果をまとめた表
【図１４】比較実験２における導光板及び第１プリズムシートの出射光のＹ軸方向についての輝度角度分布を示すグラフ
【図１５】比較実験２における第２プリズムシートの出射光のＹ軸方向についての輝度角度分布を示すグラフ
【図１６】比較実験２における反射型偏光シートの出射光のＹ軸方向についての輝度角度分布を示すグラフ
【図１７】比較実験２における反射型偏光シートに対する光の入射角と光反射率との関係を表すグラフ
【図１８】比較実験２における第２プリズムシートの出射光に関する実験結果をまとめた表
【図１９】比較実験２における反射型偏光シートの出射光に関する実験結果をまとめた表
【図２０】比較実験３における第２プリズムシートに対する光の入射角と第２プリズムシートから出射する光の出射角との関係を表すグラフ
【図２１】比較実験３における第１プリズムシートの出射光のＹ軸方向についての輝度角度分布を示すグラフ
【図２２】比較実験３における反射型偏光シートの出射光のＹ軸方向についての輝度角度分布を示すグラフ
【図２３】比較実験３における傾斜角度θ２と相対輝度との関係をまとめた表
【図２４】比較実験４における反射型偏光シートの出射光のＹ軸方向についての輝度角度分布を示すグラフ
【図２５】比較実験４における傾斜角度θ１と相対輝度との関係をまとめた表
【図２６】比較実験５における第１単位プリズムの屈折率の値を１．４９〜１．５９の範囲で変更した場合における反射型偏光シートの出射光の色度を示す１９３１色度図
【図２７】比較実験５における第１単位プリズムの屈折率と色度との関係をまとめた表
【図２８】比較実験６における液晶パネルに対する第１プリズムシートや第２プリズムシートの傾き角度に対する液晶表示装置の出射光の輝度の関係を示すグラフ
【図２９】本発明の実施形態２に係る液晶表示装置の分解斜視図
【図３０】バックライト装置をＹ軸方向に沿って切断した断面図
【図３１】バックライト装置をＸ軸方向に沿って切断した断面図
【図３２】実証実験２における導光板、第１プリズムシート、第２プリズムシート及び反射型偏光シートの出射光のＹ軸方向についての輝度角度分布を示すグラフ
【図３３】比較実験７における反射型偏光シートの出射光のＸ軸方向についての輝度角度分布を示すグラフ
【図３４】比較実験８の実験結果をまとめた表
【図３５】本発明の実施形態３に係るバックライト装置をＹ軸方向に沿って切断した断面図
【図３６】比較実験９の参考例４における反射型偏光シートの透過軸の傾き角度と出射光の相対輝度との関係を示すグラフ
【図３７】比較実験９の実施例８における反射型偏光シートの透過軸の傾き角度と出射光の相対輝度との関係を示すグラフ
【図３８】比較実験９において透過軸の傾き角度を９０度とした反射型偏光シートの出射光のＸ軸方向についての輝度角度分布を示すグラフ
【図３９】比較実験９において透過軸の傾き角度を９０度とした反射型偏光シートの出射光のＹ軸方向についての輝度角度分布を示すグラフ
【図４０】比較実験９において透過軸の傾き角度を０度とした反射型偏光シートの出射光のＸ軸方向についての輝度角度分布を示すグラフ
【図４１】比較実験９において透過軸の傾き角度を０度とした反射型偏光シートの出射光のＹ軸方向についての輝度角度分布を示すグラフ
【図４２】本発明の実施形態４に係るバックライト装置をＹ軸方向に沿って切断した断面図
【図４３】比較実験１０の実施例９における反射型偏光シートの透過軸の傾き角度と出射光の相対輝度との関係を示すグラフ
【図４４】本発明の実施形態５に係るバックライト装置をＹ軸方向に沿って切断した断面図
【図４５】本発明の実施形態６に係るバックライト装置をＸ軸方向に沿って切断した断面図
【図４６】比較実験１１の実験結果をまとめた表
【図４７】本発明の実施形態７に係るバックライト装置をＸ軸方向に沿って切断した断面図
【図４８】比較実験１２における反射型偏光シートの出射光のＸ軸方向についての輝度角度分布を示すグラフ
【発明を実施するための形態】
【００２３】
＜実施形態１＞
本発明の実施形態１を図１から図２８によって説明する。本実施形態では、液晶表示装置（表示装置）１０を例示する。なお、各図面の一部にはＸ軸、Ｙ軸及びＺ軸を示しており、各軸方向が各図面で示した方向となるように描かれている。また、上下方向については、図２及び図３を基準とし、且つ同図上側を表側とするとともに同図下側を裏側とする。
【００２４】
液晶表示装置１０は、図１に示すように、画像を表示する液晶パネル（表示パネル）１１と、液晶パネル１１の裏側に配されて液晶パネル１１に向けて表示に用いられる光を照射するバックライト装置（照明装置）１２と、を備える。液晶パネル１１は、全体として方形の板状とされており、その長辺方向がＹ軸方向と、短辺方向がＸ軸方向と、板厚方向がＺ軸方向と、それぞれ一致している。液晶パネル１１は、一対の基板間に液晶層を封入してなり、一対の基板のうち、表側に配されるものがＣＦ基板（対向基板）であり、裏側に配されるものがアレイ基板（ＴＦＴ基板）である。ＣＦ基板には、Ｒ（赤色），Ｇ（緑色），Ｂ（青色）等の各着色部が所定配列で配置されたカラーフィルタと、隣り合う着色部の間を仕切る遮光部（ブラックマトリクス）と、が設けられているのに加えて、配向膜等の構造物が設けられている。アレイ基板（ＴＦＴ基板）には、互いに直交するソース配線とゲート配線とに接続されたスイッチング素子（例えばＴＦＴ）、そのスイッチング素子に接続された画素電極、配向膜等の構造物が設けられている。液晶パネル１１は、その板面における中央側部分が、画像を表示可能な表示領域となっており、表示領域を取り囲む額縁状の外周端側部分が非表示領域となっている。液晶パネル１１を構成するアレイ基板の裏側（外側）の板面には、次述するバックライト装置１２に備わる反射型偏光シート２０が取り付けられている。反射型偏光シート２０に関しては後に詳しく説明する。なお、液晶パネル１１を構成するＣＦ基板の表側（外側）の板面には、偏光板が取り付けられている。
【００２５】
続いて、バックライト装置１２について説明する。バックライト装置１２は、図１に示すように、ＬＥＤ（光源）１３と、ＬＥＤ１３が実装されたＬＥＤ基板（光源基板）１４と、ＬＥＤ１３からの光を導光する導光板１５と、導光板１５の裏側に配される反射シート１６と、導光板１５と液晶パネル１１との間に介在する形で配される複数の光学シート１７と、を少なくとも備える。ＬＥＤ１３は、「光源」であり、このバックライト装置１２は、ＬＥＤ１３の光が導光板１５に対して片側からのみ入光される片側入光タイプのエッジライト型とされている。
【００２６】
ＬＥＤ１３は、図１に示すように、ＬＥＤ基板１４に固着される基板部上にＬＥＤチップを封止材により封止した構成とされる。ＬＥＤ１３は、ＬＥＤチップが例えば青色光を単色発光するものとされ、封止材に蛍光体が分散配合されることで全体として白色光を発する。蛍光体には、黄色蛍光体、緑色蛍光体、赤色蛍光体などが含まれる。ＬＥＤ１３は、ＬＥＤ基板１４に対する実装面とは反対側の面が発光面１３Ａとなる、いわゆる頂面発光型とされている。ＬＥＤ基板１４は、その板面が導光板１５における一端面（後述する入光端面１５Ａ）に並行する姿勢で設置されるとともに、導光板１５側を向いた板面がＬＥＤ１３の実装面とされ、同実装面には、複数のＬＥＤ１３がＸ軸方向に沿って間隔を空けて並ぶ形で実装されている。従って、ＬＥＤ１３と導光板１５との並び方向がＹ軸方向（第１方向）と一致していると言え、Ｙ軸方向には、ＬＥＤ１３から導光板１５へ向かう方向と、導光板１５からＬＥＤ１３へ向かう方向と、が含まれている。また、複数のＬＥＤ１３の並び方向がＸ軸方向（第２方向）と一致しており、Ｘ軸方向は、Ｙ軸方向及びＺ軸方向（導光板１５の板厚方向）の双方と直交している。
【００２７】
導光板１５は、屈折率が空気よりも十分に高く且つほぼ透明な合成樹脂材料（例えばＰＭＭＡなどのアクリル樹脂など）からなる。導光板１５は、図１に示すように、板状をなしており、その板面が液晶パネル１１の板面に並行している。なお、導光板１５は、その板面における長辺方向がＹ軸方向と、短辺方向がＸ軸方向と、板面の法線方向である板厚方向がＺ軸方向と、それぞれ一致している。導光板１５は、液晶パネル１１及び光学シート１７の直下に配されており、その外周端面のうちの一方の短辺側の端面が、ＬＥＤ１３の発光面１３Ａと対向して同発光面１３Ａからの光が入射される入光端面１５Ａとされる。導光板１５における一対の板面のうち、液晶パネル１１及び光学シート１７と対向状をなす表側の板面が、内部を導光した光を出射する出光板面１５Ｂとされ、反射シート１６と対向状をなす裏側の板面が反対板面１５Ｃとされる。そして、導光板１５は、ＬＥＤ１３から導光板１５へ向けて発せられた光を入光端面１５Ａから導入するとともに、その光を内部で伝播させた後に、Ｚ軸方向に沿って表側（出光側）へ向くよう立ち上げて出射させる機能を有する。導光板１５の詳しい構造については、後に改めて説明する。なお、入光端面１５Ａの法線方向がＹ軸方向と一致している。
【００２８】
反射シート１６は、図１に示すように、その板面が液晶パネル１１や導光板１５の各板面に並行するとともに、導光板１５の反対板面１５Ｃを覆う形で配される。反射シート１６は、光反射性に優れており、導光板１５の反対板面１５Ｃから漏れた光を表側、つまり出光板面１５Ｂに向けて効率的に立ち上げることができる。反射シート１６は、導光板１５よりも一回り大きな外形を有しており、反対板面１５Ｃに対してほぼ全域にわたって重畳配置されている。
【００２９】
光学シート１７は、図１に示すように、シート状をなしており、その板面が液晶パネル１１及び導光板１５の各板面に並行している。光学シート１７は、液晶パネル１１及び導光板１５と同様に、板面における長辺方向がＹ軸方向と、短辺方向がＸ軸方向と、板面の法線方向である板厚方向がＺ軸方向と、それぞれ一致している。光学シート１７は、Ｚ軸方向について液晶パネル１１と導光板１５との間に介在する配置とされており、ＬＥＤ１３から発せられた光に所定の光学作用を付与しつつ液晶パネル１１に向けて出射させるなどの機能を有する。光学シート１７は、裏側、つまり導光板１５側を向いた板面が、光が入射される入光面とされるのに対し、表側、つまり液晶パネル１１側を向いた板面が、光が出射される出光面とされる。光学シート１７には、合計で３枚が含まれており、裏側から順に第１プリズムシート１８、第２プリズムシート１９、反射型偏光シート２０とされる。
【００３０】
先に、図１に示される反射型偏光シート２０について説明する。反射型偏光シート２０は、特定の偏光軸（透過軸）を有する偏光層、屈折率が互いに異なる層を交互に積層した多層膜、保護層などを有する。偏光層は、ＰＶＡ（ポリビニルアルコール）フィルムなどの高分子樹脂フィルムにヨウ素、二色性染料等の吸収体を混入し一軸延伸することで吸収体を配向させてなる偏光子を、ＴＡＣ（トリアセチルセルロース）フィルムなどの保護フィルムによって挟み込んだ構成とされる。このように一軸延伸された偏光層は、偏光軸と、偏光軸に対して直交する吸収軸と、を有しており、それにより偏光軸に平行な直線偏光を選択的に透過することができるとともに円偏光を偏光軸に沿う直線偏光に変換することができる。この偏光層の偏光軸は、ＣＦ基板の外側の板面に取り付けられた偏光板の偏光軸に対して直交する関係とされる。多層膜は、複数の層が例えばＰＥＮ（ポリエチレンナフタレート）からなり、その多層構造によって光に含まれるｐ波とｓ波とで異なる反射特性（透過特性）を示す。すなわち、多層膜は、ｓ波に対する反射率がｐ波に対する反射率よりも概して高くなるという反射特性を有している。多層膜によって反射されたｓ波は、導光板１５、反射シート１６、他の光学シート１７などによって、再度表側に反射され、その際に、ｓ波とｐ波に分離する。このように、反射型偏光シート２０は、多層膜を備えることで、本来ならば、偏光層によって吸収されるｓ波を、裏側へ反射させることで再利用することができ、光の利用効率（ひいては輝度）を高めることができる。
【００３１】
第１プリズムシート１８は、図１及び図２に示すように、シート状の第１基材１８Ａと、第１基材１８Ａにおける表側（出光側）の板面（出光側板面）に設けられる第１単位プリズム１８Ｂと、を有する。第１基材１８Ａは、ほぼ透明な合成樹脂製とされ、具体的には例えばＰＥＴ（polyethyleneterephthalate）などの結晶性透明樹脂材料により構成される。第１基材１８Ａは、製造に際しては、原材料となる結晶性透明樹脂材料を２軸延伸プロセスで延伸することでシート状に形成されており、製造コストの低減を図る上で好適である。第１単位プリズム１８Ｂは、光硬化性樹脂材料の一種であるほぼ透明な紫外線硬化性樹脂材料により構成される。第１プリズムシート１８の製造に際しては、例えば未硬化の紫外線硬化性樹脂材料を成形用の型内に充填するとともに、その型の開口端に第１基材１８Ａを宛うことで未硬化の紫外線硬化性樹脂材料を表側の板面に接する形で配し、その状態で第１基材１８Ａを介して紫外線硬化性樹脂材料に対して紫外線を照射すると、紫外線硬化性樹脂材料が硬化されて第１単位プリズム１８Ｂが第１基材１８Ａに対して一体的に設けられる。第１単位プリズム１８Ｂを構成する紫外線硬化性樹脂材料は、例えばＰＭＭＡなどのアクリル樹脂とされる。第１単位プリズム１８Ｂを構成する紫外線硬化性樹脂材料の屈折率は、１．４９〜１．５２の範囲とされるのが好ましく、１．４９とされるのが最も好ましい。第１単位プリズム１８Ｂは、第１基材１８Ａの板面からＺ軸方向に沿って表側（導光板１５側とは反対側）に向けて突出する形で設けられている。この第１単位プリズム１８Ｂは、Ｙ軸方向に沿って切断した断面形状が略三角形（略山形）をなすとともにＸ軸方向（第２方向）に沿って直線的に延在しており、第１基材１８Ａの板面においてＹ軸方向（第１方向）に沿って複数が間隔をほぼ空けずに連続的に並んで配されている。第１単位プリズム１８Ｂは、Ｙ軸方向（第１基材１８Ａの板面）に並行する底辺１８Ｂ１と、底辺１８Ｂ１の両端から立ち上がる一対の斜辺１８Ｂ２，１８Ｂ３と、を有している。第１単位プリズム１８Ｂにおける一対の斜辺１８Ｂ２，１８Ｂ３のうち、Ｙ軸方向についてＬＥＤ１３側のものを第１ＬＥＤ側斜辺（第１光源側斜辺）１８Ｂ２とし、その反対側のものを第１ＬＥＤ反対側斜辺（第１光源反対側斜辺）１８Ｂ３とする。このうち、第１ＬＥＤ反対側斜辺１８Ｂ３には、第１単位プリズム１８Ｂに入射した光のうち、主にＹ軸方向についてＬＥＤ１３から遠ざかる方向に進行する光が当たって屈折させられる。これに対し、第１ＬＥＤ側斜辺１８Ｂ２には、第１単位プリズム１８Ｂに入射した光のうち、主にＹ軸方向についてＬＥＤ１３に近づく方向に進行する光が当たって屈折させられる。いずれにしても第１単位プリズム１８Ｂにおける一対の斜辺１８Ｂ２，１８Ｂ３により屈折された光の多くは、Ｙ軸方向について選択的に立ち上げられて集光される。
【００３２】
そして、第１単位プリズム１８Ｂは、図１及び図２に示すように、底辺１８Ｂ１に対する第１ＬＥＤ側斜辺１８Ｂ２の傾斜角度（角度、前面底角）θ１と、底辺１８Ｂ１に対する第１ＬＥＤ反対側斜辺１８Ｂ３の傾斜角度（角度、後面底角）θ２と、を比較したとき、前者が後者よりも大きくされている。つまり、第１単位プリズム１８Ｂは、断面形状が非対称形状で不等辺三角形とされる。具体的には、第１単位プリズム１８Ｂにおける底辺１８Ｂ１に対する第１ＬＥＤ側斜辺１８Ｂ２の傾斜角度θ１は、５０度〜６０度の範囲とされるのが好ましく、中でも５５度とされるのが最も好ましい。これに対し、第１単位プリズム１８Ｂにおける底辺１８Ｂ１に対する第１ＬＥＤ反対側斜辺１８Ｂ３の傾斜角度θ２は、３５度〜５０度の範囲とされるのが好ましく、中でも４５度とされるのが最も好ましい。また、第１単位プリズム１８Ｂにおいて一対の斜辺１８Ｂ２，１８Ｂ３がなす頂角（角度）θ３は、７０度〜９５度の範囲とされるのが好ましく、中でも８０度とされるのが最も好ましい。なお、Ｘ軸方向に沿って並ぶ複数の第１単位プリズム１８Ｂは、その高さ寸法、底辺１８Ｂ１の幅寸法、底辺１８Ｂ１に対する各斜辺１８Ｂ２，１８Ｂ３の傾斜角度などが全てほぼ同一とされており、隣り合う第１単位プリズム１８Ｂ間の配列間隔もほぼ一定で等間隔に配列されている。
【００３３】
第２プリズムシート１９は、図１及び図２に示すように、シート状の第２基材１９Ａと、第２基材１９Ａにおける表側（出光側）の板面（出光側板面）に設けられる第２単位プリズム１９Ｂと、を有する。第２基材１９Ａは、ほぼ透明な合成樹脂製とされ、具体的には例えば第１基材１８Ａと同じＰＥＴなどの結晶性透明樹脂材料により構成される。第２単位プリズム１９Ｂは、光硬化性樹脂材料の一種であるほぼ透明な紫外線硬化性樹脂材料により構成される。第２プリズムシート１９の製造方法は、上記した第１プリズムシート１８の製造方法と同様である。第２単位プリズム１９Ｂを構成する紫外線硬化性樹脂材料は、例えばＰＭＭＡなどのアクリル樹脂とされ、その屈折率が第１単位プリズム１８Ｂの材料の屈折率よりも高くされ、例えば１．６１程度とされる。第２単位プリズム１９Ｂは、第２基材１９Ａの板面からＺ軸方向に沿って表側（第１プリズムシート１８側とは反対側）に向けて突出する形で設けられている。この第２単位プリズム１９Ｂは、Ｙ軸方向に沿って切断した断面形状が略三角形（略山形）をなすとともにＸ軸方向に沿って直線的に延在しており、第２基材１９Ａの板面においてＹ軸方向に沿って複数が間隔をほぼ空けずに連続的に並んで配されている。第２単位プリズム１９Ｂは、Ｙ軸方向（第２基材１９Ａの板面）に並行する底辺１９Ｂ１と、底辺１９Ｂ１の両端から立ち上がる一対の斜辺１９Ｂ２，１９Ｂ３と、を有している。第２単位プリズム１９Ｂにおける一対の斜辺１９Ｂ２，１９Ｂ３のうち、Ｙ軸方向についてＬＥＤ１３側のものを第２ＬＥＤ側斜辺（第２光源側斜辺）１９Ｂ２とし、その反対側のものを第２ＬＥＤ反対側斜辺（第２光源反対側斜辺）１９Ｂ３とする。このうち、第２ＬＥＤ反対側斜辺１９Ｂ３には、第２単位プリズム１９Ｂに入射した光のうち、主にＹ軸方向についてＬＥＤ１３から遠ざかる方向に進行する光が当たって屈折させられる。これに対し、第２ＬＥＤ側斜辺１９Ｂ２には、第２単位プリズム１９Ｂに入射した光のうち、主にＹ軸方向についてＬＥＤ１３に近づく方向に進行する光が当たって屈折させられる。いずれにしても第２単位プリズム１９Ｂにおける一対の斜辺１９Ｂ２，１９Ｂ３により屈折された光の多くは、Ｙ軸方向について選択的に立ち上げられて集光される。
【００３４】
そして、第２単位プリズム１９Ｂは、図１及び図２に示すように、底辺１９Ｂ１に対する第２ＬＥＤ側斜辺１９Ｂ２の傾斜角度（角度、前面底角）θ４と、底辺１９Ｂ１に対する第２ＬＥＤ反対側斜辺１９Ｂ３の傾斜角度（角度、後面底角）θ５と、が同じとされる。つまり、第２単位プリズム１９Ｂは、断面形状が対称形状で二等辺三角形とされる。その上で、この第２単位プリズム１９Ｂにおける底辺１９Ｂ１に対する第２ＬＥＤ側斜辺１９Ｂ２の傾斜角度θ４は、第１プリズムシート１８に備わる第１単位プリズム１８Ｂにおける底辺１８Ｂ１に対する第１ＬＥＤ側斜辺１８Ｂ２の傾斜角度θ１よりも小さくされている。具体的には、第２単位プリズム１９Ｂにおける底辺１９Ｂ１に対する一対の斜辺１９Ｂ２，１９Ｂ３の各傾斜角度θ４，θ５は、４０度〜５０度の範囲とされるのが好ましく、中でも４５度とされるのが最も好ましい。これに対し、第２単位プリズム１９Ｂにおいて一対の斜辺１９Ｂ２，１９Ｂ３がなす頂角（角度）θ６は、８０度〜１００度の範囲とされるのが好ましく、中でも９０度、つまり直角とされるのが最も好ましい。なお、Ｘ軸方向に沿って並ぶ複数の第２単位プリズム１９Ｂは、その高さ寸法、底辺１９Ｂ１の幅寸法、底辺１９Ｂ１に対する各斜辺１９Ｂ２，１９Ｂ３の傾斜角度などが全てほぼ同一とされており、隣り合う第２単位プリズム１９Ｂ間の配列間隔もほぼ一定で等間隔に配列されている。また、第２単位プリズム１９Ｂにおける高さ寸法及び配列間隔は、第１単位プリズム１８Ｂにおける高さ寸法及び配列間隔とはそれぞれ異なるのが、モアレと呼ばれる干渉縞の発生を抑制する上では好ましい。
【００３５】
導光板１５における一対の板面のうち、裏側、つまり出光板面１５Ｂとは反対側の板面が反対板面１５Ｃとされる。導光板１５における出光板面１５Ｂ及び反対板面１５Ｃには、図１及び図３に示すように、それぞれ第１導光板レンズ部（導光板レンズ部）２１及び第２導光板レンズ部（導光板レンズ部）２２が設けられている。第１導光板レンズ部２１は、導光板１５の出光板面１５ＢにおいてＹ軸方向に沿って延在していてＸ軸方向に沿って並ぶ複数の第１導光板単位レンズ（導光板単位レンズ）２１Ａを有する。本実施形態では、第１導光板レンズ部２１は、いわゆるレンチキュラーレンズであり、第１導光板単位レンズ２１Ａは、出光板面１５Ｂから表側に突出する凸型のシリンドリカルレンズである。第１導光板単位レンズ２１Ａは、Ｘ軸方向に沿って切断した断面形状が半円形で且つＹ軸方向に沿って直線的に延在する蒲鉾形とされており、その表面が円弧状面２１Ａ１とされる。円弧状面２１Ａ１の基端部での接線がＸ軸方向に対してなす角度を「接触角」としたとき、第１導光板単位レンズ２１Ａの接触角は、例えば６２度程度とされる。Ｘ軸方向に沿って並ぶ複数の第１導光板単位レンズ２１Ａは、接触角、底面の幅寸法（配列間隔）及び高さ寸法が全てほぼ同一とされる。このような構成の第１導光板レンズ部２１を導光板１５に一体に設けるには、例えば導光板１５を射出成形によって製造し、その成形金型のうち出光板面１５Ｂを成形するための成形面に予め第１導光板レンズ部２１を転写するための転写形状を形成しておけばよい。
【００３６】
第２導光板レンズ部２２は、図１及び図３に示すように、導光板１５の反対板面１５ＣにおいてＹ軸方向に沿って延在していてＸ軸方向に沿って並ぶ複数の第２導光板単位レンズ（導光板単位レンズ）２２Ａを有する。本実施形態では、第２導光板レンズ部２２は、いわゆるプリズム型のレンズであり、第２導光板単位レンズ２２Ａは、出光板面１５Ｂから裏側に突出する凸型のプリズムである。第２導光板単位レンズ２２Ａは、Ｘ軸方向に沿って切断した断面形状が略三角形（略山形）をなすとともにＹ軸方向に沿って直線的に延在している。第２導光板単位レンズ２２Ａは、その幅寸法（第２方向についての寸法）が第１方向について全長にわたって一定とされる。第２導光板単位レンズ２２Ａは、断面形状がほぼ二等辺三角形であり、一対の斜面２２Ａ１を有するとともにその頂角が鈍角（９０度を超える角度）、具体的には１００度〜１５０度の範囲とされるのが好ましく、１４０度とされるのが最も好ましい。Ｘ軸方向に沿って並ぶ複数の第２導光板単位レンズ２２Ａは、頂角、底面の幅寸法（配列間隔）及び高さ寸法が全てほぼ同一とされる。本実施形態では、第２導光板単位レンズ２２Ａの配列間隔は、第１導光板単位レンズ２１Ａの配列間隔よりも大きい。このような構成の第２導光板レンズ部２２を導光板１５に一体に設けるには、例えば導光板１５を射出成形によって製造し、その成形金型のうち出光板面１５Ｂを成形するための成形面に予め第２導光板レンズ部２２を転写するための転写形状を形成しておけばよい。
【００３７】
このような構成によれば、導光板１５内を伝播する光は、図２に示すように、Ｚ軸方向について出光板面１５Ｂ側では、第１導光板レンズ部２１を構成する第１導光板単位レンズ２１Ａの円弧状面２１Ａ１に当たることで繰り返し反射され、概ねＹ軸方向に沿ってジグザグ状に進行する。一方、導光板１５内を伝播する光は、Ｚ軸方向について反対板面１５Ｃ側では、第２導光板レンズ部２２を構成する第２導光板単位レンズ２２Ａの斜面２２Ａ１に当たることで繰り返し反射され、概ねＹ軸方向に沿ってジグザグ状に進行する。これにより、導光板１５内を伝播する光は、Ｘ軸方向についての広がりが制限されるので、Ｘ軸方向についてＬＥＤ１３付近とその周囲との間に明暗のムラが生じ難くなる。
【００３８】
導光板１５における反対板面１５Ｃには、図１及び図２に示すように、出光反射部２３が設けられている。出光反射部２３は、Ｙ軸方向に沿って間隔を空けて並ぶ複数の単位反射部２３Ａを有する。単位反射部２３Ａは、反対板面１５ＣからＺ軸方向に沿って裏側に向けて突出するよう設けられており、Ｙ軸方向に沿って切断した断面形状が三角形とされている。単位反射部２３Ａは、Ｙ軸方向についてＬＥＤ１３側に配されていてＹ軸方向に対して傾斜する第１反射面２３Ａ１と、その反対側に配されていてＹ軸方向に対して傾斜する第２反射面２３Ａ２と、を有する。これらの反射面２３Ａ１，２３Ａ２は、導光板１５内を伝播する光を反射し、Ｚ軸方向に近い角度となるよう表側に向けて立ち上げることで出光板面１５Ｂからの出射を促すためのものである。第１反射面２３Ａ１は、Ｙ軸方向についてＬＥＤ１３から遠ざかるよう進行する光を反射して立ち上げるのに主に機能する。一方、第２反射面２３Ａ２は、Ｙ軸方向についてＬＥＤ１３に近づくよう進行する光を反射して立ち上げるのに主に機能する。第１反射面２３Ａ１は、Ｙ軸方向についてＬＥＤ１３から遠ざかるほど出光反射部２３が非設置とされる出光板面１５Ｂからの距離が小さくなる勾配を有する。第１反射面２３Ａ１は、Ｙ軸方向に対する傾斜角度が例えば８度程度とされる。第２反射面２３Ａ２は、Ｙ軸方向についてＬＥＤ１３から遠ざかるほど出光反射部２３が非設置とされる出光板面１５Ｂからの距離が大きくなる勾配、つまり第１反射面２３Ａ１とは逆の勾配を有する。第２反射面２３Ａ２は、Ｙ軸方向に対する傾斜角度が例えば８０度程度で垂直に近い急勾配とされ、第１反射面２３Ａ１の傾斜角度よりも大きい。また、Ｙ軸方向に沿って並ぶ複数の単位反射部２３Ａは、Ｙ軸方向についてＬＥＤ１３から遠ざかるほど高さ寸法（Ｚ軸方向の寸法）及び長さ寸法（Ｙ軸方向の寸法）がそれぞれ増すよう設計されている。より詳しくは、Ｙ軸方向についてＬＥＤ１３に近い単位反射部２３Ａと、Ｙ軸方向についてＬＥＤ１３から遠い単位反射部２３Ａと、を比較したとき、後者が前者よりも第１反射面２３Ａ１及び第２反射面２３Ａ２の各面積が大きくなっている。これにより、Ｙ軸方向についてＬＥＤ１３に近い側では、単位反射部２３Ａの各反射面２３Ａ１，２３Ａ２に光が当たり難くて出光が抑制されるものの、Ｙ軸方向についてＬＥＤ１３から遠い側では、単位反射部２３Ａの各反射面２３Ａ１，２３Ａ２に光が当たり易くて出光が促進される。結果として出光板面１５Ｂからの出射光量は、Ｙ軸方向についてＬＥＤ１３側とその反対側とで均一化される。
【００３９】
導光板１５における反対板面１５Ｃには、図１及び図２に示すように、Ｙ軸方向について単位反射部２３Ａに隣り合うよう配される傾斜面２４が設けられている。傾斜面２４は、反対板面１５ＣにおいてＹ軸方向について単位反射部２３Ａと交互に繰り返し並ぶよう複数が配されている。傾斜面２４は、Ｙ軸方向についてＬＥＤ１３側に隣り合う単位反射部２３Ａにおける第２反射面２３Ａ２と、ＬＥＤ１３側とは反対側に隣り合う単位反射部２３Ａにおける第１反射面２３Ａ１と、に連ねられている。傾斜面２４は、Ｙ軸方向についてＬＥＤ１３から遠ざかるほど出光反射部２３が非設置とされる出光板面１５Ｂからの距離が大きくなる勾配を有する。つまり、傾斜面２４は、単位反射部２３Ａの第２反射面２３Ａ２と同様の勾配とされる。傾斜面２４は、Ｙ軸方向に対する傾斜角度が例えば１．４度程度とされ、単位反射部２３Ａの各反射面２３Ａ１，２３Ａ２の各傾斜角度のいずれよりも小さい。このような構成の傾斜面２４は、ＬＥＤ１３から遠ざかるよう導光板１５内を進行する光を反射することで、その光を出光板面１５Ｂ側へ向かわせるものの、出光板面１５Ｂに対する光の入射角が臨界角を超えないので、その光は出光板面１５Ｂにより全反射され、ＬＥＤ１３からより遠ざかるよう導かれる。これにより、出光板面１５Ｂからの出射光がＹ軸方向についてＬＥＤ１３側に偏り難くなる。以上のように、導光板１５は、Ｙ軸方向に対する傾斜角度が、傾斜面２４、第１反射面２３Ａ１、第２反射面２３Ａ２の順で大きくなるよう構成されている。また、Ｙ軸方向に沿って並ぶ複数の傾斜面２４は、Ｙ軸方向についてＬＥＤ１３から遠ざかるほど長さ寸法が小さくなるよう設計されている。これは、単位反射部２３Ａの長さ寸法がＹ軸方向についてＬＥＤ１３から遠ざかるほど大きくなり、単位反射部２３Ａの占有範囲が大きくなるためである。
【００４０】
上記のような構成の出光反射部２３及び傾斜面２４は、図３から図５に示すように、Ｘ軸方向について隣り合う２つの第２導光板単位レンズ２２Ａの間に挟み込まれる配置とされる。従って、出光反射部２３及び傾斜面２４は、Ｘ軸方向について第２導光板単位レンズ２２Ａと交互に繰り返し並ぶよう配されている。出光反射部２３を構成する単位反射部２３Ａは、反対板面１５Ｃからの突出寸法（高さ寸法）の最大値が、第２導光板単位レンズ２２Ａの同突出寸法よりも小さくされている。従って、Ｙ軸方向についてＬＥＤ１３から最も遠い側に位置する単位反射部２３Ａであっても、第２導光板単位レンズ２２Ａよりも裏側に突き出すことはない。
【００４１】
次に、本実施形態に係るバックライト装置１２及び液晶表示装置１０の優位性を検証するため、以下の実証実験１及び比較実験１〜６を行った。比較実験１〜６については後に説明する。まず、実証実験１では、本実施形態に係るバックライト装置１２における出射光の輝度角度分布を測定した。具体的には、実証実験１では、導光板１５の出射光のＹ軸方向についての輝度角度分布と、第１プリズムシート１８の出射光のＹ軸方向についての輝度角度分布と、第２プリズムシート１９の出射光のＹ軸方向についての輝度角度分布と、反射型偏光シート２０の出射光のＹ軸方向についての輝度角度分布と、をそれぞれ測定しており、その結果は図６から図９に示される通りである。図６から図９は、縦軸が各図の最大輝度を基準（１００％）とした相対輝度（単位は「％」）とされ、横軸が正面方向（Ｚ軸方向）に対するＹ軸方向についての角度（単位は「度」）とされる。図６から図９における横軸の角度は、基準である０度（正面方向）に対する−（マイナス）側（図６から図９の左側）がＹ軸方向についてのＬＥＤ１３側（入光端面１５Ａ側）を、０度に対する＋（プラス）側（図６から図９の右側）がＹ軸方向についてのＬＥＤ１３側とは反対側を、それぞれ示している。
【００４２】
実証実験１の実験結果について説明する。図６に示されるグラフから導光板１５の出射光は、殆どがＹ軸方向についてＬＥＤ１３側とは反対側に向かうよう角度付けされており、正面方向に対する角度が＋２０度〜＋８０度の範囲で且つ角度が大きくなるほど光量が多くなる傾向にある。図７に示されるグラフから第１プリズムシート１８の出射光は、導光板１５の出射光と同様に、殆どがＹ軸方向についてＬＥＤ１３側とは反対側に向かうよう角度付けされているが、正面方向に対する角度が３５度付近に輝度のピークを持つ正規分布に近似した輝度角度分布となっている。図８に示されるグラフから第２プリズムシート１９の出射光は、正面方向付近に輝度のピークを持つ正規分布に近似した輝度角度分布となっているが、±６０度〜±８０度の範囲にサイドローブ光が含まれている。この輝度角度分布における半値全角は、２５度程度とされる。このことから、第２プリズムシート１９は、第１プリズムシート１８の出射光を効率的に正面方向に向かうよう立ち上げつつ出射させている、と言える。逆に言うと、第１プリズムシート１８は、第２プリズムシート１９にとって集光し易い光を出射している。図９に示されるグラフから反射型偏光シート２０の出射光は、第２プリズムシート１９の出射光と同様に、正面方向付近に輝度のピークを持つ正規分布に近似した輝度角度分布となっているが、±６０度〜±８０度の範囲のサイドローブ光が第２プリズムシート１９よりも少なくなるとともに、半値全角が第２プリズムシート１９よりも大きくて４３度程度とされる。その理由は、第２プリズムシート１９の出射光のうち、反射型偏光シート２０に対する入射角の絶対値が大きな光は、反射型偏光シート２０により効率的に反射されて再利用されるため、と考えられる。
【００４３】
続いて、比較実験１では、本実施形態に係るバックライト装置１２を実施例１とし、実施例１とは構成が異なる２つのバックライト装置を比較例１，２として、これら実施例１及び比較例１，２に関して出射光の輝度角度分布を測定した。比較例１は、導光板及び反射シートについては実施例１と同様であるものの、導光板の表側に、光学シートとして光を拡散させる拡散シートと、Ｘ軸方向に沿って延在する単位プリズムを基材の出光側の板面に設けた構成のプリズムシートと、Ｙ軸方向に沿って延在する単位プリズムを基材の出光側の板面に設けた構成のプリズムシートと、を積層配置した構成とされる。比較例２は、導光板及び反射シートについては実施例１と同様であるものの、導光板の表側に、光学シートとしてＸ軸方向に沿って延在する単位プリズムを基材の入光側の板面に設けた構成の逆プリズムシートと、光を拡散させる拡散シートと、を積層配置した構成とされる。比較実験１の実験結果は、図１０から図１３に示される通りである。図１０から図１２には、Ｙ軸方向についての輝度角度分布が実線により、Ｘ軸方向についての輝度角度分布が破線により、それぞれ記されている。図１０から図１２は、縦軸が輝度（単位は「ｃｄ／ｍ２」）とされ、横軸が正面方向（Ｚ軸方向）に対するＸ軸方向またはＹ軸方向についての角度（単位は「度」）とされる。この横軸に付された正負の記号は、Ｙ軸方向に関しては上記した実証実験１の図６から図９の説明と同様の意味である。図１３は、実験結果を示す表であり、最大輝度と、Ｙ軸方向についての半値全角と、Ｘ軸方向についての半値全角と、視野角判定の結果と、が記されている。このうちの視野角判定に関しては、検査員が実施例１及び比較例１，２の各出射光を視認し、視野角が十分に広い場合は「良好」と判定し、視野角の広さが不十分な場合は「狭い」と判定した。また、最大輝度の欄には、比較例１を基準（１００％）とした相対輝度を括弧内に記している。
【００４４】
比較実験１の実験結果について説明する。図１０及び図１３から比較例１は、Ｙ軸方向についての半値全角が５２度で且つＸ軸方向についての半値全角が６０度と十分に大きくなっているので、視野角特性に関しては優れている。しかしながら、比較例１は、最大輝度が３００ｃｄ／ｍ２（１００％）と低くなっており、明るさが不足している。図１１及び図１３から比較例２は、最大輝度が３４５ｃｄ／ｍ２（１１５％）と十分に高くなっている。しかしながら、比較例２は、Ｙ軸方向についての半値全角が３３度で且つＸ軸方向についての半値全角が４５度と十分に大きいとは言えず、特にＹ軸方向について視野角特性が芳しくない。これは、逆プリズムシートによりＹ軸方向について選択的に極めて高い集光作用が得られるため、と考えられる。図１２及び図１３から実施例１は、Ｙ軸方向についての半値全角が４３度で且つＸ軸方向についての半値全角が５２度と十分に大きくなっているとともに、最大輝度が３７５ｃｄ／ｍ２（１２５％）と極めて高くなっている。従って、実施例１は、視野角特性及び輝度がいずれも良好である、と言える。
【００４５】
比較実験２について説明する。比較実験２では、第２プリズムシート１９における第２単位プリズム１９Ｂの構成を変更した場合の輝度角度分布の変化を検証する。詳しくは、比較実験２では、第２単位プリズム１９Ｂにおける頂角θ６を７０度、８０度、９０度、１００度、１１０度とした各第２プリズムシート１９を用いて、上記した実証実験１と同様にバックライト装置１２における出射光の輝度角度分布を測定した。なお、第２プリズムシート１９以外のバックライト装置１２の構成は、実証実験１よりも前の段落にて説明した通りである。比較実験２の実験結果は、図１４から図１９に示される通りである。図１４には、導光板１５の出射光におけるＹ軸方向についての輝度角度分布が実線により、第１プリズムシート１８の出射光におけるＹ軸方向についての輝度角度分布が破線により、それぞれ記されている。図１５には、第２プリズムシート１９の出射光におけるＹ軸方向についての輝度角度分布が記されており、図中の凡例には頂角θ６の数値が記されている。図１６には、反射型偏光シート２０の出射光におけるＹ軸方向についての輝度角度分布が記されており、図中の凡例には頂角θ６の数値が記されている。図１４は、縦軸が最大輝度を基準（１００％）とした相対輝度（単位は「％」）とされる。図１５及び図１６は、縦軸が輝度（単位は「ｃｄ／ｍ２」）とされる。図１４から図１６は、いずれも横軸が正面方向（Ｚ軸方向）に対するＹ軸方向についての角度（単位は「度」）とされる。この横軸に付された正負の記号は、上記した実証実験１の図６から図９の説明と同様の意味である。図１７は、反射型偏光シート２０に対する光の入射角と光反射率との関係を表すグラフであり、図中の凡例にはｓ波とｐ波が記されている。図１７は、縦軸が光反射率（単位は「％」）であり、横軸が反射型偏光シート２０に対する光の入射角（単位は「度」）である。図１８及び図１９は、実験結果を示す表であり、頂角θ６と、最大輝度と、Ｙ軸方向についての半値全角と、が記されている。
【００４６】
比較実験２の実験結果について説明する。図１４については実証実験１の図６及び図７と同様の結果である。図１５及び図１８によれば、頂角θ６が７０度〜９０度とされる第２プリズムシート１９の出射光には、＋４０度〜＋９０度の角度範囲となるサイドローブ光が多く含まれており、頂角θ６が大きくなるほどサイドローブ光の輝度ピークとなる角度が大きくなる傾向にある。特に、頂角θ６が９０度とされる第２プリズムシート１９の出射光に含まれるサイドローブ光は、輝度ピークとなる角度が９０度近くになっている。これに比べると、頂角θ６が１００度、１１０度とされる第２プリズムシート１９の出射光には、＋の角度範囲においてサイドローブ光が僅かしか含まれておらず、特に、頂角θ６を１１０度とした場合に関しては＋の角度範囲においてサイドローブ光が殆ど存在しない。図１６及び図１９によれば、頂角θ６が８０度〜１００度とされる第２プリズムシート１９を用いた場合の反射型偏光シート２０の出射光には、１２００ｃｄ／ｍ２以上の高い最大輝度が得られている。特に、頂角θ６が９０度の場合には最大輝度が最も高くなるとともに半値全角が３８度と十分に広い視野角特性が得られている。また、頂角θ６が８０度、１００度の場合にも、頂角θ６が９０度の場合よりは低いものの十分に高い最大輝度が得られるとともに半値全角も４０度以上で頂角θ６が９０度の場合よりも広い視野角特性が得られている。一方、頂角θ６を７０度とした場合は、最大輝度が１２００ｃｄ／ｍ２よりも低くなるとともに＋１０度〜＋２０度の角度範囲における輝度が著しく低いため、頂角θ６が８０度〜１００度の場合に比べると、最大輝度及び視野角特性の双方において劣る。また、頂角θ６を１１０度とした場合は、最大輝度が１２００ｃｄ／ｍ２以上であるものの、−１０度〜−２０度の角度範囲における輝度が著しく低いため、頂角θ６が８０度〜１００度の場合に比べると、視野角特性において劣る。図１７によれば、反射型偏光シート２０に対する光の入射角が大きくなるほど光反射率が高くなる傾向であることが分かる。特に、ｐ波に関しては、光の入射角が０度〜７０度の角度範囲では光反射率が数％程度と極めて低いものの、７０度を超えると光反射率が急激に高くなる傾向となっている。図１７の結果を図１５及び図１６の結果に照らし合わせると、頂角θ６が８０度、９０度の場合は、いずれも反射型偏光シート２０に対する入射角が７０度以上のサイドローブ光を多く含んでおり、このサイドローブ光が反射型偏光シート２０によって極めて効率的に反射されていることが分かる。この反射型偏光シート２０による反射光は、反射シート１６などにより反射されて再び反射型偏光シート２０に至る過程で入射角が小さな光に変換され、正面方向に近い角度でもって出射することで正面輝度の向上に寄与するのである。
【００４７】
比較実験３について説明する。比較実験３では、第１プリズムシート１８における第１単位プリズム１８Ｂの構成を変更した場合の輝度角度分布の変化を検証する。詳しくは、比較実験３では、第１単位プリズム１８Ｂにおける底辺１８Ｂ１に対する第１ＬＥＤ反対側斜辺１８Ｂ３の傾斜角度θ２を２５度〜６０度の角度範囲で５度おきに変更した各第１プリズムシート１８を用いて、バックライト装置１２における出射光の輝度角度分布を測定した。なお、第１ＬＥＤ側斜辺１８Ｂ２の傾斜角度θ１は、いずれも５５度としており、また第２プリズムシート１９は、第２単位プリズム１９Ｂの頂角θ６が９０度とされ、それら以外のバックライト装置１２の構成は、実証実験１よりも前の段落にて説明した通りである。比較実験３の実験結果は、図２０から図２３に示される通りである。図２０には、第２プリズムシート１９に対する光の入射角と、第２プリズムシート１９から出射する光の出射角と、の関係を表すグラフである。図２０は、縦軸が光の入射角（単位は「度」）であり、横軸が光の出射角（単位は「度」）である。図２１には、第１プリズムシート１８の出射光におけるＹ軸方向についての輝度角度分布が記されており、図中の凡例には傾斜角度θ２の数値が記されている。図２２には、反射型偏光シート２０の出射光におけるＹ軸方向についての輝度角度分布が記されており、図中の凡例には傾斜角度θ２の数値が記されている。図２１は、縦軸が輝度（単位は「ｃｄ／ｍ２」）とされる。図２２は、縦軸が最大輝度を基準（１００％）とした相対輝度（単位は「％」）とされる。図２１及び図２２は、いずれも横軸が正面方向（Ｚ軸方向）に対するＹ軸方向についての角度（単位は「度」）とされる。この横軸に付された正負の記号は、上記した実証実験１の図６から図９の説明と同様の意味である。図２３は、実験結果を示す表であり、傾斜角度θ２と、相対輝度と、が記されている。
【００４８】
比較実験３の実験結果について説明する。図２０によれば、第２プリズムシート１９から出射する光の出射角を、正面輝度の向上を図る上で有効な−１０度〜＋１０度の角度範囲とするには、第２プリズムシート１９に対する光の入射角を２０度〜３７度の範囲とするのが好ましいことが分かる。特に、第２プリズムシート１９から出射する光の出射角を０度、つまり正面方向と一致させるには、第２プリズムシート１９に対する光の入射角を２８度程度とするのが好ましい。図２１によれば、傾斜角度θ２を小さくするほど、第１プリズムシート１８の出射光の輝度ピークに係る出射角度が大きくなる傾向にある。このうち、第１プリズムシート１８の出射光の輝度ピークが２０度〜３７度の範囲となるのは、傾斜角度θ２が３５度〜５０度の角度範囲である。中でも傾斜角度θ２が４５度の場合は、第１プリズムシート１８の出射光が２８度付近となっている。図２２及び図２３によれば、傾斜角度θ２が３５度〜５０度の角度範囲とされる場合は、反射型偏光シート２０の出射光に係る相対輝度がいずれも９５％以上であり、十分に高い正面輝度が得られるとともに、輝度ピークとなる出射角度が０度付近に保たれていて良好な視野角特性が得られている。中でも傾斜角度θ２が４５度とされる場合は、最も高い相対輝度が得られており、正面輝度及び視野角特性のいずれも最良と言える。一方、傾斜角度θ２が２５度、３０度、５５度、６０度とされる場合は、反射型偏光シート２０の出射光に係る相対輝度がいずれも９５％に満たず、正面輝度が不十分であるとともに、輝度ピークとなる出射角度が０度から相対的に大きくずれていて視野角特性も劣る。
【００４９】
比較実験４について説明する。比較実験４では、第１プリズムシート１８における第１単位プリズム１８Ｂの構成のうち、底辺１８Ｂ１に対する第１ＬＥＤ側斜辺１８Ｂ２の傾斜角度θ１を３５度〜６５度の角度範囲で５度おきに変更した各第１プリズムシート１８を用いて、バックライト装置１２における出射光の輝度角度分布を測定した。なお、第１ＬＥＤ反対側斜辺１８Ｂ３の傾斜角度θ２は、いずれも４５度としており、また第２プリズムシート１９は、第２単位プリズム１９Ｂの頂角θ６が９０度とされ、それら以外のバックライト装置１２の構成は、実証実験１よりも前の段落にて説明した通りである。比較実験４の実験結果は、図２４及び図２５に示される通りである。図２４には、反射型偏光シート２０の出射光におけるＹ軸方向についての輝度角度分布が記されており、図中の凡例には傾斜角度θ１の数値が記されている。図２４は、縦軸が傾斜角度θ１を４０度とした場合の輝度を基準（１００％）とした相対輝度（単位は「％」）とされ、横軸が正面方向（Ｚ軸方向）に対するＹ軸方向についての角度（単位は「度」）とされる。この横軸に付された正負の記号は、上記した実証実験１の図６から図９の説明と同様の意味である。図２５は、実験結果を示す表であり、傾斜角度θ１と、相対輝度と、が記されている。
【００５０】
比較実験４の実験結果について説明する。図２４及び図２５によれば、傾斜角度θ１が５０度〜６０度の角度範囲とされる場合は、反射型偏光シート２０の出射光に係る相対輝度がいずれも１１０％を超えていて十分に高い正面輝度が得られるとともに、輝度ピークとなる出射角度が０度付近に保たれていて良好な視野角特性が得られている。中でも傾斜角度θ１が５５度とされる場合は、最も高い相対輝度が得られており、正面輝度及び視野角特性のいずれも最良と言える。一方、傾斜角度θ１が３５度、４０度、４５度、６５度とされる場合は、反射型偏光シート２０の出射光に係る相対輝度がいずれも１１０％以下となって正面輝度が不十分であるとともに、輝度ピークとなる出射角度が０度から相対的に大きくずれていて視野角特性も劣る。
【００５１】
比較実験５について説明する。比較実験５では、第１プリズムシート１８における第１単位プリズム１８Ｂの屈折率の値を１．４９〜１．５９の範囲で変更した各第１プリズムシート１８を用いて、バックライト装置１２における出射光の色度を測定した。なお、第１単位プリズム１８Ｂの屈折率以外のバックライト装置１２の構成は、実証実験１よりも前の段落にて説明した通りである。比較実験５の実験結果は、図２６及び図２７に示される通りである。比較実験５の実験結果には、色度の基準値を示す参考例１を併記している。この参考例１は、比較実験１の比較例１と同じ構成のバックライト装置の出射光に係る輝度である。図２６には、ＣＩＥ１９３１色度図であって、第１単位プリズム１８Ｂの屈折率の値を１．４９〜１．５９の範囲で変更した場合における反射型偏光シート２０の出射光の色度がプロットされている。図２６中の「●」の各プロットには、第１単位プリズム１８Ｂの屈折率の数値（１．４９，１．５２，１．５５，１．５７，１．５９）が記されている。図２６中のプロットのうちの「■」のプロットは、基準となる参考例１の色度である。図２６では、横軸のｘ軸及び縦軸のｙ軸がそれぞれ色度座標値であるｘ値及びｙ値を示している。図２７は、実験結果を示す表であり、第１単位プリズム１８Ｂの屈折率と、出射光の色度値（ｘ値及びｙ値）と、参考例１の色度値との差分（ｘ値変化量及びｙ値変化量）と、が記されている。
【００５２】
比較実験５の実験結果について説明する。図２６及び図２７によれば、第１単位プリズム１８Ｂの屈折率が大きくなるほど、出射光のｘ値及びｙ値がいずれも増加して参考例１の基準値からの変化量が大きくなり、黄色味を帯びる傾向にあることが分かる。逆に言うと、第１単位プリズム１８Ｂの屈折率が小さくなるほど、出射光のｘ値及びｙ値がいずれも減少して、青色味を帯びる傾向にあることが分かる。第１単位プリズム１８Ｂの屈折率は、１．４９〜１．５９の範囲のうち、１．４９〜１．５２の範囲であれば、参考例１の基準値に近い色度となり、特定の色味を帯びることがない良好な白色光が得られる、と言える。これに対し、第１単位プリズム１８Ｂの屈折率が１．５２よりも大きくなると、出射光が黄色味を帯びてしまい、色ムラとして視認されるおそれがある。また、第１単位プリズム１８Ｂの屈折率が１．４９よりも小さくなると、出射光が青色味を帯びてしまい、色ムラとして視認されるおそれがある。
【００５３】
比較実験６について説明する。比較実験６では、液晶表示装置１０において第２プリズムシート１９を液晶パネル１１に対して傾けた配置とした場合における出射光の輝度を測定した。詳しくは、比較実験６では、液晶パネル１１に対して第２プリズムシート１９のみを傾けた場合と、液晶パネル１１に対して第１プリズムシート１８及び第２プリズムシート１９を共に傾けた場合と、における出射光の輝度をそれぞれ測定している。実験結果は、図２８に示す通りである。図２８は、液晶パネル１１に対する第１プリズムシート１８や第２プリズムシート１９の傾き角度に対する液晶表示装置１０の出射光の輝度の関係を示すグラフである。図２８では、縦軸が最大輝度を基準（１００％）とした相対輝度（単位は「％」）とされ、横軸が第１プリズムシート１８や第２プリズムシート１９の傾き角度（単位は「度」）とされる。
【００５４】
比較実験６の実験結果について説明する。図２８によれば、液晶パネル１１に対して第１プリズムシート１８のみを傾けた場合と、液晶パネル１１に対して第１プリズムシート１８及び第２プリズムシート１９を共に傾けた場合と、は、、いずれも傾き角度が大きくなるほど出射光の輝度が低下する傾向にあることが分かる。そして、第１プリズムシート１８のみを傾けた場合は、第１プリズムシート１８及び第２プリズムシート１９を共に傾けた場合に比べると、傾き角度が大きくなっても輝度低下が抑制されている傾向にあることが分かる。一般的に、上記した傾き角度は大きくなるほど、液晶パネル１１に備わる画素に対して干渉が生じ難くなり、モアレ抑制効果が高くなる。従って、モアレを抑制する場合には、液晶パネル１１に対して第２プリズムシート１９のみを傾けて設置するのが好ましい、と言える。
【００５５】
以上説明したように本実施形態のバックライト装置（照明装置）１２は、ＬＥＤ（光源）１３と、板状をなしていて外周端面の少なくとも一部がＬＥＤ１３から発せられた光が入射される入光端面１５Ａとされて一方の板面が光を出射させる出光板面１５Ｂとされる導光板１５と、導光板１５に対して出光側に配される第１プリズムシート１８であって、ＬＥＤ１３から導光板１５へ向かう方向を含む第１方向に沿って複数が並んで配されていて第１方向と導光板１５の板厚方向との双方と直交する第２方向に沿って延在する第１単位プリズム１８Ｂを有する第１プリズムシート１８と、第１プリズムシート１８に対して出光側に配される第２プリズムシート１９であって、第１方向に沿って複数が並んで配されていて第２方向に沿って延在する第２単位プリズム１９Ｂを有する第２プリズムシート１９と、を備え、第１プリズムシート１８及び第２プリズムシート１９は、第１単位プリズム１８Ｂ及び第２単位プリズム１９Ｂが、いずれも第１方向に並行する底辺１８Ｂ１，１９Ｂ１と、底辺１８Ｂ１，１９Ｂ１の両端から立ち上がる一対の斜辺１８Ｂ２，１８Ｂ３，１９Ｂ２，１９Ｂ３と、を有していて、第２単位プリズム１９Ｂにおいて第１方向についてＬＥＤ１３側の斜辺である第２ＬＥＤ側斜辺１９Ｂ２が底辺１９Ｂ１に対してなす角度が、第１単位プリズム１８Ｂにおいて第１方向についてＬＥＤ１３側の第１ＬＥＤ側斜辺１８Ｂ２が底辺１８Ｂ１に対してなす角度よりも小さくなるよう構成される。
【００５６】
このようにすれば、ＬＥＤ１３から発せられて導光板１５の入光端面１５Ａに入射した光は、導光板１５内を伝播するとともに出光板面１５Ｂから出射されて第１プリズムシート１８に入射される。第１プリズムシート１８に入射した光は、その多くが、第１単位プリズム１８Ｂにおける一対の斜辺１８Ｂ２，１８Ｂ３のうちの第１方向についてＬＥＤ１３側とは反対側の斜辺に当たって屈折され、立ち上げられつつ出射するか、第１方向についてＬＥＤ１３側の斜辺である第１ＬＥＤ側斜辺１８Ｂ２へ向かう。ここで、第１単位プリズム１８Ｂは、第２単位プリズム１９Ｂとの比較において、第１方向についてＬＥＤ１３側の斜辺である第１ＬＥＤ側斜辺１８Ｂ２が底辺１８Ｂ１，１９Ｂ１に対してなす角度が、大きくなっているから、仮に同じ角度または角度の大小を逆の関係にした場合に比べると、第１プリズムシート１８に入射した光が第１単位プリズム１８ＢにおけるＬＥＤ１３側の斜辺である第１ＬＥＤ側斜辺１８Ｂ２に当たり難くなる。第１プリズムシート１８の入射光が第１単位プリズム１８ＢにおけるＬＥＤ１３側の斜辺である第１ＬＥＤ側斜辺１８Ｂ２に当たると、第１単位プリズム１８Ｂを出射する際に立ち上げられることなく迷光となって出射し易い傾向にある。従って、第１プリズムシート１８の入射光が第１単位プリズム１８ＢにおけるＬＥＤ１３側の斜辺である第１ＬＥＤ側斜辺１８Ｂ２に直接当たり難くなれば、迷光の発生が抑制され、結果として光の利用効率が向上する。
【００５７】
第１プリズムシート１８を出射して第２プリズムシート１９に入射した光は、その多くが、第２単位プリズム１９Ｂにおける一対の斜辺１９Ｂ２，１９Ｂ３のうちの第１方向についてＬＥＤ１３側とは反対側の斜辺に当たって屈折され、立ち上げられつつ出射するか、第１方向についてＬＥＤ１３側の斜辺である第２ＬＥＤ側斜辺１９Ｂ２へ向かう。ここで、第２単位プリズム１９Ｂは、第１単位プリズム１８Ｂとの比較において、第１方向についてＬＥＤ１３側の斜辺である第２ＬＥＤ側斜辺１９Ｂ２が底辺１９Ｂ１に対してなす角度が、小さくなっているから、仮に同じ角度または角度の大小を逆の関係にした場合に比べると、第１方向についてＬＥＤ１３側とは反対側の斜辺により屈折されて第１方向についてＬＥＤ１３側の斜辺である第２ＬＥＤ側斜辺１９Ｂ２へ向かう光が、第１方向についてＬＥＤ１３側の斜辺である第２ＬＥＤ側斜辺１９Ｂ２により第１プリズムシート１８側に戻され易くなる。結果として、第２プリズムシート１９から第１プリズムシート１８側に戻される光（以下、再帰光という）の量が多くなる。この再帰光は、当該バックライト装置１２内にて反射などされることで再び第２プリズムシート１９に至り、第２単位プリズム１９Ｂにおける一対の斜辺１９Ｂ２，１９Ｂ３のいずれかによって立ち上げられつつ出射されるので、光の利用効率が向上する。再帰光は、第２プリズムシート１９から出射するまでの光路が複雑化しているので、第２単位プリズム１９Ｂにより付与される立ち上がり角度も多様化しており、それにより視野角特性が向上する。以上により、視野角特性及び輝度の向上が図られる。
【００５８】
また、第２プリズムシート１９は、第２単位プリズム１９Ｂにおける一対の斜辺１９Ｂ２，１９Ｂ３が底辺１９Ｂ１に対してなす角度が、同じになるよう構成される。このようにすれば、第２単位プリズム１９Ｂにおける一対の斜辺１９Ｂ２，１９Ｂ３の一方に当たってから他方によって第１プリズムシート１８側に戻される光のリサイクル効率が良好になるので、輝度の向上を図る上でより好適となる。しかも、第２単位プリズム１９Ｂにおける一対の斜辺１９Ｂ２，１９Ｂ３に当たって出射される光のそれぞれに付与される立ち上げ作用が同等になるので、視野角特性がより優れたものとなる。
【００５９】
また、第２プリズムシート１９は、第２単位プリズム１９Ｂにおける一対の斜辺１９Ｂ２，１９Ｂ３同士がなす角度が、８０度〜１００度の範囲となるよう構成される。第２単位プリズム１９Ｂにおける一対の斜辺１９Ｂ２，１９Ｂ３の一方に当たってから他方によって第１プリズムシート１８側に戻される光のリサイクル効率は、第２単位プリズム１９Ｂにおける一対の斜辺１９Ｂ２，１９Ｂ３同士がなす角度が９０度とされる場合に最も良好となる。従って、上記のように第２単位プリズム１９Ｂにおける一対の斜辺１９Ｂ２，１９Ｂ３同士がなす角度を８０度〜１００度の範囲とすることで、光のサイクル効率が良好に保たれ、輝度の向上を図る上で一層好適となる。
【００６０】
また、第１プリズムシート１８は、第１単位プリズム１８ＢにおけるＬＥＤ１３とは反対側の斜辺である第１ＬＥＤ反対側斜辺１８Ｂ３が底辺１８Ｂ１に対してなす角度が、３５度〜５０度の範囲とされる。このようにすれば、仮に第１単位プリズム１８ＢにおけるＬＥＤ１３とは反対側の斜辺である第１ＬＥＤ反対側斜辺１８Ｂ３が底辺１８Ｂ１に対してなす角度を３５度よりも小さくした場合や５０度よりも大きくした場合に比べると、視野角特性がより良好になる。すなわち、第１プリズムシート１８の第１単位プリズム１８ＢにおけるＬＥＤ１３とは反対側の斜辺である第１ＬＥＤ反対側斜辺１８Ｂ３によって立ち上げられつつ出射する光の進行方向は、同斜辺が底辺１８Ｂ１に対してなす角度に依存するとともに、第２プリズムシート１９に対する光の入射角に直接的に影響する。これに対し、第２プリズムシート１９の第２単位プリズム１９Ｂにおける一対の斜辺１９Ｂ２，１９Ｂ３により立ち上げられつつ出射する光の進行方向は、第２プリズムシート１９に対する光の入射角に依存している。そして、第１単位プリズム１８ＢにおけるＬＥＤ１３とは反対側の斜辺である第１ＬＥＤ反対側斜辺１８Ｂ３が底辺１８Ｂ１に対してなす角度が３５度〜５０度の範囲とされることで、第２プリズムシート１９の出射光が導光板１５の板厚方向に近い角度となるよう効率的に立ち上げられ、良好な視野角特性が得られるのである。
【００６１】
また、第１プリズムシート１８は、第１単位プリズム１８ＢにおけるＬＥＤ１３とは反対側の斜辺である第１ＬＥＤ反対側斜辺１８Ｂ３が底辺１８Ｂ１に対してなす角度が、４５度とされる。このようにすれば、第２プリズムシート１９の出射光が導光板１５の板厚方向に近い角度となるよう最も効率的に立ち上げられ、より良好な視野角特性が得られるとともに高い輝度が得られる。
【００６２】
また、第１プリズムシート１８は、第１単位プリズム１８ＢにおけるＬＥＤ１３側の斜辺である第１ＬＥＤ側斜辺１８Ｂ２が底辺１８Ｂ１に対してなす角度が、５０度〜６０度の範囲とされる。このようにすれば、仮に第１単位プリズム１８ＢにおけるＬＥＤ１３側の斜辺である第１ＬＥＤ側斜辺１８Ｂ２が底辺１８Ｂ１に対してなす角度を５０度よりも小さくした場合や６０度よりも大きくした場合に比べると、輝度の向上が図られる。仮に第１単位プリズム１８ＢにおけるＬＥＤ１３側の斜辺である第１ＬＥＤ側斜辺１８Ｂ２が底辺１８Ｂ１に対してなす角度を５０度よりも小さくすると、第１プリズムシート１８の板面内に占めるＬＥＤ１３側の斜辺である第１ＬＥＤ側斜辺１８Ｂ２の面積比率が大きくなり過ぎるため、第１プリズムシート１８に入射した光が第１単位プリズム１８ＢにおけるＬＥＤ１３側の斜辺である第１ＬＥＤ側斜辺１８Ｂ２に当たり易くなる。そうなると、第１単位プリズム１８Ｂを出射する際に立ち上げられることなく出射する迷光が多くなる。一方、仮に第１単位プリズム１８ＢにおけるＬＥＤ１３側の斜辺である第１ＬＥＤ側斜辺１８Ｂ２が底辺１８Ｂ１に対してなす角度を６０度よりも大きくすると、第２プリズムシート１９から戻された光が第１単位プリズム１８ＢにおけるＬＥＤ１３側の斜辺である第１ＬＥＤ側斜辺１８Ｂ２に当たったときに迷光となり易い傾向にある。その点、上記のように第１単位プリズム１８ＢにおけるＬＥＤ１３側の斜辺である第１ＬＥＤ側斜辺１８Ｂ２が底辺１８Ｂ１に対してなす角度を５０度〜６０度の範囲とすることで、迷光の発生が効果的に抑制されて輝度が向上するのである。
【００６３】
また、第１プリズムシート１８は、第１単位プリズム１８ＢにおけるＬＥＤ１３側の斜辺である第１ＬＥＤ側斜辺１８Ｂ２が底辺１８Ｂ１に対してなす角度が、５５度とされる。このようにすれば、迷光の発生が最も効果的に抑制され、輝度がより向上する。
【００６４】
また、第２プリズムシート１９の出光側に配され、屈折率が互いに異なる層を交互に積層した多層膜を有する反射型偏光シート２０を備える。このようにすれば、第２プリズムシート１９から出射した光は、その一部が反射型偏光シート２０の多層膜によって反射されて第２プリズムシート１９側に戻され、残りが反射型偏光シート２０を透過する。第２プリズムシート１９側に戻された光は、反射や屈折を繰り返して再び反射型偏光シート２０に入射する。ここで、第２プリズムシート１９は、第２単位プリズム１９Ｂにおける一対の斜辺１９Ｂ２，１９Ｂ３同士がなす角度が８０度〜１００度の範囲とされているため、同角度を上記範囲外とした場合に比べると、出射光に反射型偏光シート２０に対する入射角が大きな光が多く含まれる傾向にある。この反射型偏光シート２０に入射する光は、入射角が大きくなるほど多層膜による反射率が高くなる傾向にある。従って、反射型偏光シート２０の多層膜により反射されて再利用される光が多くなるので、光の利用効率が向上し、輝度がより向上する。
【００６５】
また、第１プリズムシート１８は、第１単位プリズム１８Ｂにおける屈折率が１．４９〜１．５２の範囲とされる。第１プリズムシート１８に入射した光は、第１単位プリズム１８ＢにおけるＬＥＤ１３とは反対側の斜辺である第１ＬＥＤ反対側斜辺１８Ｂ３により屈折されるが、このときの屈折角には波長依存性があり、短波長の光は長波長の光よりも屈折角が大きくなる傾向にあり、その差は第１単位プリズム１８Ｂの屈折率が大きくなるほど拡大する傾向にある。仮に第１単位プリズム１８Ｂにおける屈折率を１．４９よりも小さくすると、第１プリズムシート１８の出射光に含まれる短波長の光の比率が過大となって青色味などの色味が付くおそれがある。一方、第１単位プリズム１８Ｂにおける屈折率を１．５２よりも大きくすると、第１プリズムシート１８の出射光に含まれる長波長の光の比率が過大となって黄色味などの色味が付くおそれがある。その点、第１単位プリズム１８Ｂにおける屈折率を１．４９〜１．５２の範囲とすれば、第１プリズムシート１８の出射光に含まれる短波長の光と長波長の光とが適切な比率となり、特定の色味が付き難くなる。これにより、色ムラの発生が抑制される。
【００６６】
また、導光板１５は、出光板面１５Ｂとは反対側の板面である反対板面１５Ｃまたは出光板面１５Ｂに設けられる出光反射部２３を有しており、出光反射部２３は、第１方向に沿って間隔を空けて並ぶ複数の単位反射部２３Ａを有する。このようにすれば、導光板１５内を伝播する光は、途中で第２方向に沿って延在する単位反射部２３Ａによって反射されることで、出光板面１５Ｂからの出射が促される。
【００６７】
また、導光板１５における反対板面１５Ｃ及び出光板面１５Ｂのうち、出光反射部２３が設置される板面には、第１方向について単位反射部２３Ａに隣り合うよう配されていてＬＥＤ１３から遠ざかるほど出光反射部２３が非設置とされる板面からの距離が大きくなる勾配の傾斜面２４が設けられており、出光反射部２３は、単位反射部２３Ａが第１方向についてＬＥＤ１３側に配されていて第１方向に対して傾斜する第１反射面２３Ａ１とその反対側に配されていて第１方向に対して傾斜する第２反射面２３Ａ２とを有しており、導光板１５は、第１方向に対する傾斜角度が、傾斜面２４、第１反射面２３Ａ１、第２反射面２３Ａ２の順で大きくなるよう構成される。このようにすれば、ＬＥＤ１３から遠ざかるよう導光板１５内を進行する光は、途中でＬＥＤ１３から遠ざかるほど出光反射部２３が非設置される板面からの距離が大きくなる勾配の傾斜面２４により反射されることで、第１方向についてＬＥＤ１３から遠ざかるよう導かれる。これにより、出光板面１５Ｂからの出射光が第１方向についてＬＥＤ１３側に偏り難くなる。この傾斜面２４は、第１方向に対する傾斜角度が、単位反射部２３Ａの各反射面のいずれに比べても小さいので、反射光をＬＥＤ１３からより遠い側へと導くことができる。
【００６８】
導光板１５内を伝播する光のうち、第１方向についてＬＥＤ１３から遠ざかるよう進行する光は、単位反射部２３Ａの第１反射面２３Ａ１により反射されて出光が促進される。これに対し、導光板１５内を伝播する光のうち、第１方向についてＬＥＤ１３に近づくよう進行する光は、第１方向についてＬＥＤ１３から遠ざかるよう進行する光よりも少ないが、単位反射部２３Ａの第２反射面２３Ａ２により反射されて出光が促進される。第１反射面２３Ａ１は、第１方向に対する傾斜角度が第２反射面２３Ａ２よりも小さいから、反射光に作用する立ち上げ作用が第２反射面２３Ａ２よりも弱い。従って、第１方向についてＬＥＤ１３から遠ざかるよう進行する光が逆向きの光よりも多くてもそれらが過剰に出光されるのが避けられる。これに対し、第２反射面２３Ａ２は、第１方向に対する傾斜角度が第１反射面２３Ａ１よりも大きいから、反射光に作用する立ち上げ作用が第１反射面２３Ａ１よりも強い。従って、第１方向についてＬＥＤ１３に近づくよう進行する光が逆向きの光よりも少なくてもそれらを余すことなく出光させることができ、光の利用効率が向上する。
【００６９】
また、導光板１５は、出光板面１５Ｂとは反対側の板面である反対板面１５Ｃと出光板面１５Ｂとの両方に設けられる第１導光板レンズ部（導光板レンズ部）２１及び第２導光板レンズ部（導光板レンズ部）２２を有しており、第１導光板レンズ部２１及び第２導光板レンズ部２２は、第１方向に沿って延在していて第２方向に沿って並ぶ複数ずつの第１導光板単位レンズ（導光板単位レンズ）２１Ａ及び第２導光板単位レンズ（導光板単位レンズ）２２Ａを有する。このようにすれば、導光板１５内を伝播する光は、第１導光板レンズ部２１及び第２導光板レンズ部２２を構成していて第１方向に沿って延在し第２方向に沿って並ぶ複数の第１導光板単位レンズ２１Ａ及び第２導光板単位レンズ２２Ａによって繰り返し反射されつつ第１方向に沿って進行することで、第２方向についての広がりが制限される。これにより、第２方向についてＬＥＤ１３付近とその周囲との間に明暗のムラが生じ難くなる。ところで、導光板１５の外周端面のうち、入光端面１５Ａに隣り合う側端面は、製造上の理由から表面が荒れる場合があり、その場合は導光板１５内を伝播する光が上記側端面に当たると、反射されずに外部に出射してから再入射したり、側端面により乱反射されたりするおそれがある。このような光は、出光板面１５Ｂから出射し易く、側端面付近に局所的に明るい明部を生じさせるおそれがある。特に、導光板１５の反対板面１５Ｃと出光板面１５Ｂとのうちの少なくとも一方には、複数の第１導光板単位レンズ２１Ａ及び第２導光板単位レンズ２２Ａを有する第１導光板レンズ部２１及び第２導光板レンズ部２２が設けられているため、上記した明部が特定の第１導光板単位レンズ２１Ａ及び第２導光板単位レンズ２２Ａのみに生じて輝線として視認されるおそれがある。その点、導光板１５の出光側には、第１プリズムシート１８及び第２プリズムシート１９が配され、これらには第２方向に沿って延在する第１単位プリズム１８Ｂ及び第２単位プリズム１９Ｂがそれぞれ備えられているから、導光板１５の側端面付近から出射した光を第１単位プリズム１８Ｂ及び第２単位プリズム１９Ｂによって第２方向について拡散させることができる。これにより、第１方向に沿って延在する形態の輝線が視認され難くなる。
【００７０】
また、本実施形態に係る液晶表示装置（表示装置）１０は、上記記載のバックライト装置１２と、バックライト装置１２からの光を利用して表示を行う液晶パネル（表示パネル）１１と、を備える。このような構成の液晶表示装置１０によれば、バックライト装置１２の出射光に係る視野角特性の向上が図られているから、表示品位に優れた表示を実現することができる。
【００７１】
＜実施形態２＞
本発明の実施形態２を図２９から図３４によって説明する。この実施形態２では、導光板１１５及び第１プリズムシート１１８の構成を変更したものを示す。なお、上記した実施形態１と同様の構造、作用及び効果について重複する説明は省略する。
【００７２】
本実施形態に係る第１プリズムシート１１８は、図２９及び図３１に示すように、第１基材１１８Ａにおける第１単位プリズム１１８Ｂ側（出光側）とは反対側の板面にレンズ部２５が設けられた構成とされる。レンズ部２５は、第１基材１１８Ａの入光側の板面においてＹ軸方向に沿って延在していてＸ軸方向に沿って並ぶ複数の単位レンズ２５Ａを有する。本実施形態では、レンズ部２５は、いわゆるレンチキュラーレンズであり、単位レンズ２５Ａは、第１基材１１８Ａの板面から裏側に突出する凸型のシリンドリカルレンズである。単位レンズ２５Ａは、Ｘ軸方向に沿って切断した断面形状が半円形で且つＹ軸方向に沿って直線的に延在する蒲鉾形とされており、その表面が円弧状面２５Ａ１とされる。円弧状面２５Ａ１の基端部での接線がＸ軸方向に対してなす角度を「接触角」としたとき、単位レンズ２５Ａの接触角は、例えば５０度程度とされる。Ｘ軸方向に沿って並ぶ複数の単位レンズ２５Ａは、接触角、底面の幅寸法（配列間隔）及び高さ寸法が全てほぼ同一とされる。単位レンズ２５Ａの配列間隔は、導光板１１５上の第１導光板単位レンズ１２１Ａの配列間隔とは異なる設定とされるのがモアレを抑制する上では好ましい。単位レンズ２５Ａは、第１単位プリズム１１８Ｂと同様に光硬化性樹脂材料の一種であるほぼ透明な紫外線硬化性樹脂材料により構成されており、第１単位プリズム１１８Ｂと同様の製造方法によって第１基材１１８Ａに一体的に設けられている。
【００７３】
本実施形態に係る導光板１１５は、図３０に示すように、上記した実施形態１とは反対板面１１５Ｃに傾斜面２４（図２を参照）が設けられていない点で異なる。導光板１１５の反対板面１１５Ｃには、出光反射部１２３を構成する複数の単位反射部１２３ＡがＹ軸方向に沿って連続的に並ぶよう設けられている。単位反射部１２３Ａは、Ｙ軸方向に対する第１反射面１２３Ａ１の傾斜角度が例えば６度程度とされるとともに、Ｙ軸方向に対する第２反射面１２３Ａ２の傾斜角度が例えば４０度程度とされる
【００７４】
次に、本実施形態に係るバックライト装置１１２の優位性を検証するため、以下の実証実験２及び比較実験７，８を行った。実証実験２では、本実施形態に係るバックライト装置１１２における出射光の輝度角度分布を測定した。具体的には、実証実験２では、導光板１１５の出射光のＹ軸方向についての輝度角度分布と、第１プリズムシート１１８の出射光のＹ軸方向についての輝度角度分布と、第２プリズムシート１１９の出射光のＹ軸方向についての輝度角度分布と、反射型偏光シート１２０の出射光のＹ軸方向についての輝度角度分布と、をそれぞれ測定しており、その結果は図３２に示される通りである。図３２は、縦軸が各出射光の最大輝度を基準（１００％）とした相対輝度（単位は「％」）とされ、横軸が正面方向（Ｚ軸方向）に対するＹ軸方向についての角度（単位は「度」）とされる。この横軸に付された正負の記号は、上記した実証実験１の図６から図９の説明と同様の意味である。図３２中の凡例には、各グラフがどの出射光であるかが記されている。
【００７５】
実証実験２の実験結果について説明する。図３２に示されるグラフによれば、いずれの出射光についても、上記した実証実験１の実験結果（図６〜図９）と概ね同様の輝度角度分布である、と言える。従って、第１プリズムシート１１８における第１基材１１８Ａの入光側の板面にレンズ部２５を設けるようにしても、Ｙ軸方向についての輝度角度分布に悪影響が及ぶことは避けられている、と言える。
【００７６】
比較実験７について説明する。比較実験７では、レンズ部２５を構成する単位レンズ２５Ａの接触角を２０度、３０度、５０度とした各第１プリズムシート１１８を用いて、バックライト装置１１２における出射光のＸ軸方向についての輝度角度分布を測定した。比較実験７では、単位レンズ２５Ａの接触角を２０度としたものを実施例２とし、３０度としたものを実施例３とし、５０度としたものを実施例４とする。実験結果は、図３３に示す通りである。比較実験７の実験結果には、Ｘ軸方向についての輝度角度分布の基準を示す参考例２を併記している。この参考例２は、比較実験１の比較例１と同じ構成のバックライト装置である。加えて、比較実験７の実験結果には、上記した比較実験１の実施例１におけるＸ軸方向についての輝度角度分布を併記している。図３３には、反射型偏光シート１２０の出射光におけるＸ軸方向についての輝度角度分布が記されている。図３３は、縦軸が最大輝度を基準（１００％）とした相対輝度（単位は「％」）とされ、横軸が正面方向（Ｚ軸方向）に対するＸ軸方向についての角度（単位は「度」）とされる。この横軸に付された正負の記号は、上記した実証実験１の図６から図９の説明と同様の意味である。
【００７７】
比較実験７の実験結果について説明する。図３３によれば、単位レンズ２５Ａの接触角が大きくなるほど、Ｘ軸方向について出射光の指向性が緩和され、半値全角が大きくなる傾向にあることが分かる。具体的には、単位レンズ２５Ａの接触角が２０度とされる実施例２は、レンズ部２５が非設置とされた比較実験１の実施例１と同等の輝度角度分布となっている。これに対し、単位レンズ２５Ａの接触角が３０度とされる実施例３は、実施例１と参考例２との中間程度にまでＸ軸方向について出射光の指向性が緩和されている。そして、単位レンズ２５Ａの接触角が５０度とされる実施例４は、参考例２と同程度の輝度角度分布が得られている。このように、単位レンズ２５Ａの接触角を５０度とすれば、Ｘ軸方向について優れた視野角特性が得られる、と言える。
【００７８】
比較実験８について説明する。比較実験８は、レンズ部２５、第１導光板レンズ部１２１及び第２導光板レンズ部１２２の有無や第２導光板レンズ部１２２の構成の変化が、出射光に生じ得る輝度ムラにどのような影響をもたらすかに関して知見を得るべく行われた。比較実験８では、レンズ部２５を有さない第１プリズムシートと、第２導光板レンズ部１２２を有さない導光板と、を備えるバックライト装置を比較例２とし、第２導光板レンズ部１２２を有さない導光板を備えるバックライト装置を比較例３とし、レンズ部２５を有さない第１プリズムシートを備えるバックライト装置を参考例３としている。さらには、比較実験８では、第２導光板レンズ部１２２の第２導光板単位レンズ１２２Ａの頂角を１４０度としたものを実施例５とし、第２導光板単位レンズ１２２Ａの頂角を１２０度としたものを実施例６とし、第２導光板単位レンズ１２２Ａの頂角を１００度としたものを実施例７としている。これら比較例２，３、参考例３及び実施例５〜７は、いずれも第１導光板レンズ部１２１の第１導光板単位レンズ１２１Ａの接触角が５０度とされる。比較例２，３、参考例３及び実施例５〜７は、上記のように説明した点を除いては、本実施形態に記載したバックライト装置１１２と同様の構成である。そして、比較実験８では、比較例２，３、参考例３及び実施例５〜７を点灯した状態で表側から写真を撮影し、その写真に基づいて輝度ムラの有無を判定するとともにＣｍ（Michelson Contrast）値を測定した。実験結果は図３４に示される通りである。図３４には、比較例２，３、参考例３及び実施例５〜７における単位レンズ２５Ａの接触角、第１導光板単位レンズ１２１Ａの接触角、第２導光板単位レンズ１２２Ａの頂角、写真、Ｃｍ値及び判定結果が記されている。輝度ムラの有無の判定は、撮影した画像を検査員が目視して行っている。判定結果には、輝度ムラが視認されない場合は「良好」、輝度ムラが概ね視認されない場合は「可」、輝度ムラがやや視認されて不十分な場合は「不十分」、輝度ムラが視認される場合は「不可」と記している。Ｃｍ値は、出射光の最大輝度から最小輝度を差し引いて得られる値を、最大輝度と最小輝度とを足し合わせて得られる値により除して得られる。Ｃｍ値が大きいと、最大輝度と最小輝度との差が大きく且つ最大輝度と最小輝度との和が小さいことから、輝度ムラが視認され易い傾向にある。逆にＣｍ値が小さいと、最大輝度と最小輝度との差が小さく且つ最大輝度と最小輝度との和が大きいことから、輝度ムラが視認され難い傾向にある。
【００７９】
比較実験８の実験結果について説明する。図３４によれば、比較例２は、輝度ムラが顕著に発生していて判定結果が「不可」となっており、Ｃｍ値も０．２２２と最大になっている。これは、比較例２では、導光板が第２導光板レンズ部１２２を、第１プリズムシートがレンズ部２５を、それぞれ有していないことから、光がＸ軸方向について拡散され難くなっていることが原因と考えられる。比較例３は、比較例２に比べると輝度ムラに一定の改善が見られるものの、改善効果が不十分であり、判定結果が「不十分」となっており、Ｃｍ値も０．１１７と大きくなっている。これは、比較例３では、第１プリズムシートがレンズ部２５を有するものの、導光板が第２導光板レンズ部１２２を有していないことから、Ｘ軸方向についての光の拡散が不十分になっていることが原因と考えられる。参考例３は、比較例３に比べると輝度ムラにさらなる改善が見られるものの、改善効果がやはり不十分であり、判定結果が「不十分」となっており、Ｃｍ値も０．０８７と大きくなっている。これは、参考例３では、導光板が第２導光板レンズ部１２２を有するものの、第１プリズムシートがレンズ部２５を有していないことから、Ｘ軸方向についての光の拡散が不十分になっていることが原因と考えられる。これに対し、実施例５〜７は、いずれも輝度ムラが視認され難くなっていて判定結果が「良」または「可」となっており、Ｃｍ値も０．０５３〜０．０６１と小さくなっている。これは、実施例５〜７は、導光板１１５が第２導光板レンズ部１２２を有するとともに第１プリズムシート１１８がレンズ部２５を有していることから、Ｘ軸方向について光が十分に拡散されていることが原因と考えられる。実施例５〜７を比較すると、第２導光板単位レンズ１２２Ａの頂角を１４０度、１００度とした実施例５，７が実施例６よりも輝度ムラの改善効果が高くなっていることが分かる。
【００８０】
以上説明したように本実施形態によれば、第１プリズムシート１１８は、出光側の板面に複数の第１単位プリズム１１８Ｂが設けられるシート状の第１基材１１８Ａと、第１基材１１８Ａにおける出光側とは反対側の板面に設けられるレンズ部２５と、を有しており、レンズ部２５は、第１方向に沿って延在していて第２方向に沿って並んで配される複数の単位レンズ２５Ａを有する。このようにすれば、導光板１１５から出射した光は、第１プリズムシート１１８の第１基材１１８Ａにおける出光側とは反対側の板面に設けられたレンズ部２５に入射する。レンズ部２５は、第１方向に延在していて第２方向に沿って並ぶ複数の単位レンズ２５Ａを有しており、入射光には複数の単位レンズ２５Ａによって第２方向について拡散作用が付与される。これにより、第２方向についての視野角特性が向上する。また、仮にレンズ部２５を第２プリズムシート１１９に設けた場合には、第１単位プリズム１１８Ｂによる光の立ち上げ効果がレンズ部２５によって減ぜられるおそれがあるが、そのような事態が避けられる。
【００８１】
＜実施形態３＞
本発明の実施形態３を図３５から図４１によって説明する。この実施形態３では、上記した実施形態１から第２プリズムシート２１９の構成を変更したものを示す。なお、上記した実施形態１と同様の構造、作用及び効果について重複する説明は省略する。
【００８２】
本実施形態に係る第２プリズムシート２１９は、図３５に示すように、第２基材２１９Ａが非複屈折性を有する材料からなる。ここで、複屈折は、材料が結晶構造や高分子の配向等の影響を受けて２つ以上の屈折率を持つ場合に、屈折率の差により生じる。本明細書において、「非複屈折性を有する」とは「実質的に複屈折性を有しない」ことを意味し、より詳しくは屈折率の差と膜厚の積で表される面内位相差（リタデーション値）が１０ｎｍ以下の場合に、実質的に複屈折性を有しない（実質的に複屈折性がゼロである）と定義する。本実施形態に係る第２基材２１９Ａは、非複屈折性を有する非晶性透明樹脂材料であるＰＣ（polycarbonate）を用いて溶融押し出しによりシート状にすることで製造されている。非晶性樹脂材料は、非晶部からなるため、結晶構造による屈性率差が生じにくく、リタデーション値を低く抑えることができる。従って、第２基材２１９Ａは、リタデーション値が１０ｎｍ以下で規定される非複屈折性を有しており、第２プリズムシート２１９を透過する光が、第２基材２１９Ａにおいて複屈折されるのが高い確実性でもって抑制される。第２基材２１９Ａが非複屈折性を有することで、第２プリズムシート２１９から液晶パネルに入射した光が、液晶パネルの表示面において「虹ムラ」と称される色のついた干渉縞を生じないようにすることができる。なお、第２基材２１９Ａに用いる非晶性透明樹脂材料としては、ＰＣの他に、ＰＭＭＡ（polymethyl methacrylate）等のアクリル樹脂やＴＡＣ（triacetylcellulose）等を用いることも可能であるが、ＰＭＭＡやＴＡＣは吸水性が高く、高温高湿の環境下において吸水膨張による反りが発生しやすいため、ＰＣが好適である。
【００８３】
次に、本実施形態に係るバックライト装置２１２の優位性を検証するため、以下の比較実験９を行った。比較実験９では、第２基材２１９Ａの材料をＰＣとした第２プリズムシート２１９を用い、第２プリズムシート２１９に対して反射型偏光シート２２０を回転させつつ出射光の輝度を測定した。詳しくは、比較実験９では、第２基材２１９Ａの材料をＰＣとした第２プリズムシート２１９を備える点を除いては、上記した比較実験１の実施例１と同じ構成で、第１基材２１８Ａの材料をＰＥＴとした第１プリズムシート２１８を備えるバックライト装置２１２を実施例８としている。また、比較実験９では、参考のため、上記した比較実験１の実施例１と同じ構成のバックライト装置を参考例４としている。参考例４の実験結果は、図３６に示す通りであり、実施例８の実験結果は、図３７に示す通りである。図３６及び図３７における横軸が、Ｘ軸方向（第２単位プリズム２１９Ｂの延在方向）に対して反射型偏光シート２２０の透過軸がなす傾き角度（単位は「度」）とされ、縦軸が、上記した透過軸の傾き角度が０度（１８０度）のときの輝度を基準（１００％）とした相対輝度（単位は「％」）とされる。また、実施例８において透過軸の傾き角度を９０度にしたときのＸ軸方向及びＹ軸方向についての輝度角度分布を図３８及び図３９に、透過軸の傾き角度を０度にしたときのＸ軸方向及びＹ軸方向についての輝度角度分布を図４０及び図４１に、それぞれ記している。図３８及び図４０は、縦軸が各出射光の最大輝度を基準（１００％）とした相対輝度（単位は「％」）とされ、横軸が正面方向（Ｚ軸方向）に対するＸ軸方向についての角度（単位は「度」）とされる。図３９及び図４１は、縦軸が各出射光の最大輝度を基準（１００％）とした相対輝度（単位は「％」）とされ、横軸が正面方向（Ｚ軸方向）に対するＹ軸方向についての角度（単位は「度」）とされる。
【００８４】
比較実験９の実験結果について説明する。図３６及び図３７によれば、参考例４及び実施例８は、いずれも透過軸の傾き角度が０度（１８０度）付近において最小輝度となり、透過軸の傾き角度が９０度付近において最大輝度となる。ここで、参考例４及び実施例８は、導光板２１５に備わる出光反射部２２３を構成する単位反射部２２３Ａの延在方向と、各プリズムシート２１８，２１９の各単位プリズム２１８Ｂ，２１９Ｂの延在方向と、が一致する構成である点で共通しており、この共通構成により光の偏光度合いが乱され難くなっている。この光の偏光方向は、Ｙ軸方向と概ね一致していることから、Ｘ軸方向に対する反射型偏光シート２２０の透過軸の傾き角度が９０度になると、透過軸が光の偏光方向と一致する。これにより、透過軸の傾き角度が９０度付近になると、反射型偏光シート２２０における光の透過率（利用効率）が最大化され、出射光の輝度が最大輝度となっている、と考えられる。図３６によれば、参考例４における最大輝度は１１５％に満たない。これは、第２プリズムシートの第２基材の材料が複屈折性を有するＰＥＴであることから、結晶構造による屈性率差が生じ易くなっており、それにより光の偏光度合いが乱され易く、光の透過率が低くなるため、と考えられる。これに対し、図３７によれば、実施例８における最大輝度は、１１５％を超えており、参考例４に比べて透過軸の傾き角度が０度の場合との輝度差が大きくなっている。これは、実施例８では、第２プリズムシート２１９の第２基材２１９Ａの材料が非複屈折性を有するＰＣであることから、結晶構造による屈性率差が生じ難くなっており、それにより光の偏光度合いが乱され難く、光の透過率が高く保たれているため、と考えられる。
【００８５】
次に、図３８から図４１に基づいて実施例８における出射光の輝度角度分布について説明する。反射型偏光シート２２０の透過軸の傾き角度を９０度にした場合の実験結果である図３８及び図３９と、反射型偏光シート２２０の透過軸の傾き角度を０度にした場合の実験結果である図４０及び図４１と、を比べると、後者が前者よりも視野角特性が優れている、と言える。詳しくは、透過軸の傾き角度を９０度にした場合には、図３８によれば、Ｘ軸方向についての輝度角度分布における半値全角は５４度であり、図３９によれば、Ｙ軸方向についての輝度角度分布における半値全角は４０度である。透過軸の傾き角度を０度にした場合には、図４０によれば、Ｘ軸方向についての輝度角度分布における半値全角は７６度であり、図４１によれば、Ｘ軸方向についての輝度角度分布における半値全角は４４度である。透過軸の傾き角度を９０度にした場合には、同透過軸と光の偏光方向とが一致し、反射型偏光シート２２０の反射軸と光の偏光方向とが直交する。このため、反射型偏光シート２２０により反射されて裏側に戻される光量が少なく、各プリズムシート２１８，２１９などにより再利用される光量も少なくなることから、出射光の進行方向が多様化し難くなっており、その結果視野角がやや狭くなっている、と考えられる。一方、透過軸の傾き角度を０度にした場合には、同透過軸と光の偏光方向とが直交し、反射型偏光シート２２０の反射軸と光の偏光方向とが一致する。このため、反射型偏光シート２２０により反射される光量が多く、各プリズムシート２１８，２１９などにより再利用される光量も多くなることから、出射光の進行方向が多様化しており、その結果視野角が広くなっている、と考えられる。中でも、Ｘ軸方向は、各プリズムシート２１８，２１９の集光方向と直交する関係にあることから、反射型偏光シート２２０による反射光が各プリズムシート２１８，２１９による集光作用を受けることなく拡散するよう進行しつつ出射し易くなっている。その結果、透過軸の傾き角度を０度にした場合におけるＸ軸方向についての輝度角度分布における半値全角は７６度と、極めて広くなっている。
【００８６】
以上説明したように本実施形態によれば、第２プリズムシート２１９は、出光側の板面に複数の第２単位プリズム２１９Ｂが設けられていて非複屈折性を有するシート状の第２基材２１９Ａを有する。第１プリズムシート２１８及び第２プリズムシート２１９に備わる第１単位プリズム２１８Ｂ及び第２単位プリズム２１９Ｂは、いずれも第２方向に沿って延在していることから、仮に両単位プリズムの延在方向を直交させた場合に比べると、透過光の偏光度合いを維持し易い。そして、第２プリズムシート２１９の第２基材２１９Ａは、非複屈折性を有している（複屈折性を有さない）から、第２基材２１９Ａの透過光の偏光度合いが崩され難くなっている。これにより、光の利用効率の向上などを図る上で好適となるとともに、「虹ムラ」と称される色のついた干渉縞の発生を抑制することができる。
【００８７】
＜実施形態４＞
本発明の実施形態４を図４２または図４３によって説明する。この実施形態４では、上記した実施形態３から第１プリズムシート３１８の構成を変更したものを示す。なお、上記した実施形態３と同様の構造、作用及び効果について重複する説明は省略する。
【００８８】
本実施形態に係る第１プリズムシート３１８は、図４２に示すように、第１基材３１８Ａが、第２プリズムシート３１９の第２基材３１９Ａと同様に、非複屈折性を有する材料からなる。本実施形態に係る第１基材３１８Ａは、第２基材３１９Ａと同様に、非複屈折性を有する非晶性透明樹脂材料であるＰＣを用いて溶融押し出しによりシート状にすることで製造されている。第１基材３１８Ａは、リタデーション値が１０ｎｍ以下で規定される非複屈折性を有しており、第１プリズムシート３１８を透過する光が、第１基材３１８Ａにおいて複屈折されるのが高い確実性でもって抑制される。第１基材３１８Ａが非複屈折性を有することで、第１プリズムシート３１８から液晶パネルに入射した光が、液晶パネルの表示面において「虹ムラ」と称される色のついた干渉縞を生じないようにすることができる。なお、第１基材３１８Ａに用いる非晶性透明樹脂材料としては、ＰＣの他に、ＰＭＭＡ等のアクリル樹脂やＴＡＣ等を用いることも可能であるが、ＰＣが好適である。
【００８９】
次に、本実施形態に係るバックライト装置３１２の優位性を検証するため、以下の比較実験１０を行った。比較実験１０では、第１基材３１８Ａの材料をＰＣとした第１プリズムシート３１８と、第２基材３１９Ａの材料をＰＣとした第２プリズムシート３１９と、を用い、第１プリズムシート３１８及び第２プリズムシート３１９に対して反射型偏光シート３２０を回転させつつ出射光の輝度を測定した。詳しくは、比較実験１０では、第１基材３１８Ａ及び第２基材３１９Ａの材料をそれぞれＰＣとした第１プリズムシート３１８及び第２プリズムシート３１９を備える点を除いては、上記した比較実験１の実施例１と同じ構成のバックライト装置３１２を実施例９としている。実施例９の実験結果は、図４３に示す通りである。図４３における横軸が、Ｘ軸方向に対して反射型偏光シート３２０の透過軸がなす傾き角度（単位は「度」）とされ、縦軸が、上記した透過軸の傾き角度が０度（１８０度）のときの輝度を基準（１００％）とした相対輝度（単位は「％」）とされる。
【００９０】
比較実験１０の実験結果について説明する。図４３によれば、実施例９は、透過軸の傾き角度が０度（１８０度）付近において最小輝度となり、透過軸の傾き角度が９０度付近において最大輝度となる。この実験結果は、上記した比較実験８の実験結果と同様である。特筆すべきは、実施例９における最大輝度は、１２０％を超えており、上記した比較実験８の参考例４及び実施例８に比べて透過軸の傾き角度が０度の場合との輝度差が大きくなっている。これは、実施例９では、第２プリズムシート３１９の第２基材３１９Ａの材料に加えて、第１プリズムシート３１８の第１基材３１８Ａの材料が非複屈折性を有するＰＣであることから、結晶構造による屈性率差が生じ難くなっており、それにより光の偏光度合いがより乱され難く、光の透過率がさらに高く保たれているため、と考えられる。
【００９１】
＜実施形態５＞
本発明の実施形態５を図４４によって説明する。この実施形態５では、上記した実施形態２から導光板４１５の構成を変更したものを示す。なお、上記した実施形態２と同様の構造、作用及び効果について重複する説明は省略する。
【００９２】
本実施形態に係る導光板４１５は、図４４に示すように、上記した実施形態１と同様に、反対板面４１５Ｃに傾斜面４２４が設けられている点で上記した実施形態２とは異なる。出光反射部４２３を構成する単位反射部４２３Ａは、上記した実施形態２と同様に、Ｙ軸方向に対する第１反射面４２３Ａ１の傾斜角度が例えば６度程度とされるとともに、Ｙ軸方向に対する第２反射面４２３Ａ２の傾斜角度が例えば４０度程度とされる。傾斜面４２４は、Ｙ軸方向に対する傾斜角度が例えば１５度程度とされる。
【００９３】
＜実施形態６＞
本発明の実施形態６を図４５または図４６によって説明する。この実施形態６では、上記した実施形態２から導光板５１５の構成を変更したものを示す。なお、上記した実施形態２と同様の構造、作用及び効果について重複する説明は省略する。
【００９４】
本実施形態に係る導光板５１５は、図４５に示すように、第２導光板レンズ部５２２がレンチキュラーレンズとされる点で上記した実施形態２とは異なる。第２導光板レンズ部５２２を構成する第２導光板単位レンズ５２２Ａは、反対板面５１５Ｃから裏側に突出する凸型のシリンドリカルレンズである。第２導光板単位レンズ５２２Ａは、Ｘ軸方向に沿って切断した断面形状が半円形で且つＹ軸方向に沿って直線的に延在する蒲鉾形とされており、その表面が円弧状面５２２Ａ１とされる。円弧状面５２２Ａ１の基端部での接線がＸ軸方向に対してなす角度を「接触角」としたとき、第２導光板単位レンズ５２２Ａの接触角は、例えば３０度程度とされる。Ｘ軸方向に沿って並ぶ複数の第２導光板単位レンズ５２２Ａは、接触角、底面の幅寸法（配列間隔）及び高さ寸法が全てほぼ同一とされる。
【００９５】
次に、本実施形態に係るバックライト装置３１２の優位性を検証するため、以下の比較実験１１を行った。比較実験１１は、レンズ部５２５、第１導光板レンズ部５２１及び第２導光板レンズ部５２２の有無や第２導光板レンズ部５２２の構成の変化が、出射光に生じ得る輝度ムラにどのような影響をもたらすかに関して知見を得るために行われている。比較実験１１では、上記した比較実験８と同じ比較例２及び比較例３を用いている。それに加え、比較実験１１では、レンズ部５２５を有さない第１プリズムシートを備えるバックライト装置を参考例５としており、参考例５における第２導光板レンズ部５２２の第２導光板単位レンズ５２２Ａの接触角は３０度とされる。さらには、比較実験１１では、第２導光板レンズ部５２２の第２導光板単位レンズ５２２Ａの接触角を３０度としたものを実施例１０とし、第２導光板単位レンズ５２２Ａの接触角を４９度としたものを実施例１１とし、第２導光板単位レンズ５２２Ａの接触角を６２度としたものを実施例１２としているこれら比較例２，３、参考例５及び実施例１０〜１２は、いずれも第１導光板レンズ部５２１の第１導光板単位レンズ５２１Ａの接触角が５０度とされる。比較例２，３、参考例５及び実施例１０〜１２は、上記のように説明した点を除いては、本実施形態に記載したバックライト装置５１２と同様の構成である。そして、比較実験１１では、比較例２，３、参考例５及び実施例１０〜１２を点灯した状態で表側から写真を撮影し、その写真に基づいて輝度ムラの有無を判定するとともにＣｍ値を測定した。実験結果は図４６に示される通りである。図４６には、比較例２，３、参考例５及び実施例１０〜１２における単位レンズ５２５Ａの接触角、第１導光板単位レンズ５２１Ａの接触角、第２導光板単位レンズ５２２Ａの接触角、写真、Ｃｍ値及び判定結果が記されている。輝度ムラの有無の判定方法及び判定結果の内容は、上記した比較実験８に記載した通りである。また、Ｃｍ値の説明に関しても、上記した比較実験８に記載した通りである。
【００９６】
比較実験１１の実験結果について説明する。図４６によれば、比較例２，３の実験結果は、上記した比較実験８に記載した通りである。参考例５は、比較例３に比べると輝度ムラにさらなる改善が見られるものの、改善効果がやはり不十分であり、判定結果が「不十分」となっており、Ｃｍ値も０．０８５と大きくなっている。これは、参考例５では、導光板が第２導光板レンズ部５２２を有するものの、第１プリズムシートがレンズ部５２５を有していないことから、Ｘ軸方向についての光の拡散が不十分になっていることが原因と考えられる。これに対し、実施例１０〜１２は、いずれも輝度ムラが視認され難くなっていて判定結果が「良」または「可」となっており、Ｃｍ値も０．０６１〜０．０６６と小さくなっている。これは、実施例１０〜１２は、導光板５１５が第２導光板レンズ部５２２を有するとともに第１プリズムシート５１８がレンズ部５２５を有していることから、Ｘ軸方向について光が十分に拡散されていることが原因と考えられる。実施例１０〜１２を比較すると、第２導光板単位レンズ５２２Ａの接触角を３０度とした実施例１０が実施例１１，１２よりも輝度ムラの改善効果が高くなっていることが分かる。
【００９７】
＜実施形態７＞
本発明の実施形態７を図４７または図４８によって説明する。この実施形態７では、上記した実施形態２から第１プリズムシート６１８の構成を変更したものを示す。なお、上記した実施形態２と同様の構造、作用及び効果について重複する説明は省略する。
【００９８】
本実施形態に係る第１プリズムシート６１８は、図４７に示すように、レンズ部６２５がプリズム型のレンズとされている。レンズ部６２５を構成する単位レンズ６２５Ａは、第１基材６１８Ａの裏側の板面Ｃから裏側に突出する凸型のプリズムとされる。単位レンズ６２５Ａは、Ｘ軸方向に沿って切断した断面形状が略三角形（略山形）をなすとともにＹ軸方向に沿って直線的に延在している。単位レンズ６２５Ａは、その幅寸法が第１方向について全長にわたって一定とされる。単位レンズ６２５Ａは、断面形状がほぼ二等辺三角形であり、一対の斜面６２５Ａ１を有するとともにその頂角が鈍角（９０度を超える角度）、具体的には１１０度〜１４５度の範囲とされるのが好ましく、１４０度〜１４５度の範囲とされるのが最も好ましいが、場合によっては１１０度〜１３０度の範囲とされるのが好まれることもある。Ｘ軸方向に沿って並ぶ複数の単位レンズ６２５Ａは、頂角、底面の幅寸法（配列間隔）及び高さ寸法が全てほぼ同一とされる。
【００９９】
次に、本実施形態に係るバックライト装置６１２の優位性を検証するため、以下の比較実験１２を行った。比較実験１２では、レンズ部６２５を構成する単位レンズ６２５Ａの頂角を９０度、１００度、１１０度、１２０度、１３０度、１４０度、１４５度とした各第１プリズムシート６１８を用いて、バックライト装置６１２における出射光のＸ軸方向についての輝度角度分布を測定した。比較実験１２では、単位レンズ６２５Ａの頂角を９０度としたものを実施例１３とし、１００度としたものを実施例１４とし、１１０度としたものを実施例１５とし、１２０度としたものを実施例１６とし、１３０度としたものを実施例１７とし、１４０度としたものを実施例１８とし、１４５度としたものを実施例１９とする。実験結果は、図４８に示す通りである。比較実験１２の実験結果には、Ｘ軸方向についての輝度角度分布の基準を示す参考例２を併記している。この参考例２は、比較実験１の比較例１と同じ構成のバックライト装置である。加えて、比較実験１２の実験結果には、上記した比較実験１の実施例１におけるＸ軸方向についての輝度角度分布を併記している。図４８には、反射型偏光シート６２０の出射光におけるＸ軸方向についての輝度角度分布が記されている。図４８は、縦軸が最大輝度を基準（１００％）とした相対輝度（単位は「％」）とされ、横軸が正面方向（Ｚ軸方向）に対するＸ軸方向についての角度（単位は「度」）とされる。この横軸に付された正負の記号は、上記した実証実験１の図６から図９の説明と同様の意味である。
【０１００】
比較実験１２の実験結果について説明する。図４８によれば、単位レンズ５２５Ａの頂角が１４０度以下となる実施例１３〜１８に関しては、輝度ピークが正面方向を挟んだ２位置に現れており、それに伴って正面輝度が低下する傾向にある。これに対し、単位レンズ５２５Ａの頂角が１４０度を超えた１４５度となる実施例１９に関しては、輝度ピークが正面方向と一致し、正面輝度が最も高くなるとともに、参考例２に近似する輝度角度分布となる。従って、視野角特性及び正面輝度は、実施例１９が最も優れている、と言える。実施例１３〜１８のうち、単位レンズ５２５Ａの頂角が１４０度となる実施例１８は、輝度ピークが２位置となることに起因する正面輝度の低下が僅かであり、実施例１９に近い輝度角度分布となっている。ところで、例えば液晶表示装置の用途が車載とされる場合は、運転席側と助手席側とからそれぞれ画像を視認することが想定される。このような場合には、液晶表示装置の出射光に係る輝度角度分布は、輝度ピークが運転席側と助手席側との双方に存在するようなものとなることが求められるので、実施例１３〜１７を適用するのが好適となる。中でも、輝度ピークの角度が±３０度付近となれば、運転席側と助手席側とからの視認性が良好であることからすると、実施例１５〜１７が特に好ましい。
【０１０１】
＜他の実施形態＞
本発明は上記記述及び図面によって説明した実施形態に限定されるものではなく、例えば次のような実施形態も本発明の技術的範囲に含まれる。
【０１０２】
（１）上記した各実施形態では、第２プリズムシートの第２単位プリズムにおける頂角が９０度とされる場合を示したが、同頂角が８０度〜１００度の範囲であれば、良好な視野角特性が得られることから、その範囲内にて具体的な角度を変更することは可能である。また、同頂角が８０度〜１００度の範囲外であっても構わない。その場合でも、一対の斜辺が底辺に対してなす角度が異なる場合よりも優れた視野角特性を得ることができる。
【０１０３】
（２）上記した各実施形態では、第１プリズムシートの第１単位プリズムにおけるＬＥＤ反対側斜辺が底辺に対してなす角度が４５度とされる場合を示したが、同角度が３５度〜５０度の範囲であれば、良好な視野角特性が得られることから、その範囲内にて具体的な角度を変更することは可能である。また、同角度が３５度〜５０度の範囲外であっても構わない。
【０１０４】
（３）上記した各実施形態では、第１プリズムシートの第１単位プリズムにおけるＬＥＤ側斜辺が底辺に対してなす角度が５５度とされる場合を示したが、同角度が５０度〜６０度の範囲であれば、十分な輝度向上効果が得られることから、その範囲内にて具体的な角度を変更することは可能である。また、同角度が５０度〜６０度の範囲外であっても構わない。
【０１０５】
（４）上記した各実施形態では、第１プリズムシートの第１単位プリズムにおける屈折率が１．４９〜１．５２の範囲とされる場合を示したが、出射光に求められる色度によっては同屈折率を１．４９〜１．５２の範囲外とすることも可能である。
【０１０６】
（５）上記した各実施形態以外にも、導光板に備わる出光反射部の各反射面や傾斜面の具体的な傾斜角度の数値は適宜に変更可能である。
【０１０７】
（６）上記した各実施形態以外にも、導光板に備わる第１導光板レンズ部の第１導光板単位レンズや第２導光板レンズ部の第２導光板単位レンズにおける頂角や接触角などの具体的な数値は適宜に変更可能である。
【０１０８】
（７）上記した各実施形態以外にも、第１プリズムシート及び第２プリズムシートの第１基材及び第２基材に用いる具体的な材料は適宜に変更可能である。同様に、第１単位プリズム及び第２単位プリズムに用いる具体的な材料も適宜に変更可能である。
【０１０９】
（８）上記した各実施形態では、第１プリズムシート及び第２プリズムシートの第１単位プリズム及び第２単位プリズムにおける断面形状がいずれも単純な三角形とされる場合を示したが、第１単位プリズム及び第２単位プリズムにおける具体的な断面形状は適宜に変更可能である。その場合、例えば第１単位プリズム及び第２単位プリズムにおけるいずれかの斜辺が複数の傾斜角度を持つよう屈曲形状とされるのが好ましい。
【０１１０】
（９）上記した各実施形態では、出光反射部が導光板の反対板面に設けられた場合を示したが、出光反射部が導光板の出光板面に設けられていてもよい。
【０１１１】
（１０）上記した各実施形態では、導光板が第１導光板レンズ部及び第２導光板レンズ部を有する場合を示したが、第１導光板レンズ部及び第２導光板レンズ部のうちのいずれか一方または両方を省略することも可能である。同様に、導光板から出光反射部を省略することも可能である。その場合は、導光板の出光板面または反対板面に光の出射を促すための構造を別途に設けるのが好ましい。
【０１１２】
（１１）上記した各実施形態では、導光板の厚みが全長にわたって概ね一定とされ、反対板面がフラットな場合を示したが、導光板の厚みがＬＥＤから遠ざかるほど小さくなり、反対板面が傾斜状とされる構成であっても構わない。
【０１１３】
（１２）上記した各実施形態では、液晶表示装置及びバックライト装置の平面形状が長方形とされる場合を示したが、液晶表示装置及びバックライト装置の平面形状は、正方形、円形、楕円形、台形、菱形などであっても構わない。バックライト装置の平面形状を変更する場合は、その構成部材（導光板、反射シート及び光学シートなど）の平面形状もそれに併せて変更すればよい。
【０１１４】
（１３）上記した各実施形態では、反射型偏光シートが偏光層及び多層膜を有する場合を示したが、反射型偏光シートが偏光層を有さず多層膜を有する構成であっても構わない。その場合は、反射型偏光シートとは別途に偏光層を有する偏光板を液晶パネルに取り付けるようにすればよい。
【０１１５】
（１４）上記した各実施形態では、ＬＥＤが頂面発光型とされる場合を示したが、ＬＥＤが側面発光型であっても構わない。
【符号の説明】
【０１１６】
１０…液晶表示装置（表示装置）、１１…液晶パネル（表示パネル）、１２，１１２，３１２，５１２，６１２…バックライト装置（照明装置）、１３…ＬＥＤ（光源）、１５，１１５，２１５，４１５，５１５…導光板、１５Ａ…入光端面、１５Ｂ…出光板面、１５Ｃ，１１５Ｃ，４１５Ｃ，５１５Ｃ…反対板面、１８，１１８，２１８，３１８，５１８，６１８…第１プリズムシート、１８Ａ，１１８Ａ，２１８Ａ，３１８Ａ，６１８Ａ…第１基材、１８Ｂ，１１８Ｂ，２１８Ｂ…第１単位プリズム、１８Ｂ１…底辺、１８Ｂ２，１８Ｂ３…斜辺、１９，１１９，２１９，３１９…第２プリズムシート、１９Ａ，２１９Ａ，３１９Ａ…第２基材、１９Ｂ，２１９Ｂ…第２単位プリズム、１９Ｂ１…底辺、１９Ｂ２，１９Ｂ３…斜辺、２０，１２０，２２０，３２０，６２０…反射型偏光シート、２１，１２１…第１導光板レンズ部（導光板レンズ部）、２１Ａ，１２１Ａ…第１導光板単位レンズ（導光板単位レンズ）、２２，１２２，５２２…第２導光板レンズ部（導光板レンズ部）、２２Ａ，１２２Ａ，５２２Ａ…第２導光板単位レンズ（導光板単位レンズ）、２３，１２３，２２３，４２３…出光反射部、２３Ａ，１２３Ａ，２２３Ａ，４２３Ａ…単位反射部、２３Ａ１，１２３Ａ１，４２３Ａ１…第１反射面、２３Ａ２，１２３Ａ１，４２３Ａ２…第２反射面、２４，４２４…傾斜面、２５，５２５，６２５…レンズ部、２５Ａ，５２５Ａ，６２５Ａ…単位レンズ
【図１】
2020119678.tif 000003
【図２】
2020119678.tif 000004
【図３】
2020119678.tif 000005
【図４】
2020119678.tif 000006
【図５】
2020119678.tif 000007
【図６】
2020119678.tif 000008
【図７】
2020119678.tif 000009
【図８】
2020119678.tif 000010
【図９】
2020119678.tif 000011
【図１０】
2020119678.tif 000012
【図１１】
2020119678.tif 000013
【図１２】
2020119678.tif 000014
【図１３】
2020119678.tif 000015
【図１４】
2020119678.tif 000016
【図１５】
2020119678.tif 000017
【図１６】
2020119678.tif 000018
【図１７】
2020119678.tif 000019
【図１８】
2020119678.tif 000020
【図１９】
2020119678.tif 000021
【図２０】
2020119678.tif 000022
【図２１】
2020119678.tif 000023
【図２２】
2020119678.tif 000024
【図２３】
2020119678.tif 000025
【図２４】
2020119678.tif 000026
【図２５】
2020119678.tif 000027
【図２６】
2020119678.tif 000028
【図２７】
2020119678.tif 000029
【図２８】
2020119678.tif 000030
【図２９】
2020119678.tif 000031
【図３０】
2020119678.tif 000032
【図３１】
2020119678.tif 000033
【図３２】
2020119678.tif 000034
【図３３】
2020119678.tif 000035
【図３４】
2020119678.tif 000036
【図３５】
2020119678.tif 000037
【図３６】
2020119678.tif 000038
【図３７】
2020119678.tif 000039
【図３８】
2020119678.tif 000040
【図３９】
2020119678.tif 000041
【図４０】
2020119678.tif 000042
【図４１】
2020119678.tif 000043
【図４２】
2020119678.tif 000044
【図４３】
2020119678.tif 000045
【図４４】
2020119678.tif 000046
【図４５】
2020119678.tif 000047
【図４６】
2020119678.tif 000048
【図４７】
2020119678.tif 000049
【図４８】
2020119678.tif 000050